(57)【特許請求の範囲】
【請求項１】
複数のセルを集約して基地局装置と通信する端末装置であって、
前記セルが属する上りリンク送信タイミングのグループを識別するグループ識別子と、前記グループ内のセルの上りリンク送信タイミングの有効時間を示す送信タイミングタイマーとを含む送信タイミンググループの設定に基づいて、前記セルが属する前記上りリンク送信タイミングのグループを設定し、
前記基地局装置から送信される、前記グループ内のセルの変更を指示するメッセージに基づいてセルの設定を変更することによって、上りリンク送信タイミングの基準となるタイミング参照セルが前記グループ内に存在しなくなる場合に、前記グループに関する前記送信タイミンググループの設定をリリースする制御部を含むことを特徴とする端末装置。
【請求項２】
前記タイミング参照セルは、プライマリセルであり、前記メッセージは前記プライマリセルのハンドオーバーを指示するメッセージであることを特徴とする請求項１に記載の端末装置。
【請求項３】
前記タイミング参照セルは、上りリンクの送信タイミングが同じセルで構成されたセルグループのセカンダリセルであり、前記メッセージは前記セカンダリセルのリリースを指示するメッセージであることを特徴とする請求項１に記載の端末装置。
【請求項４】
複数のセルを集約して端末装置と通信する基地局装置であって、
前記端末装置に対して、前記セルが属する上りリンク送信タイミングのグループを指示する場合に、前記グループを識別するグループ識別子と、前記グループ内のセルの上りリンク送信タイミングの有効時間を示す送信タイミングタイマーとを含む送信タイミンググループの設定を通知し、
前記グループ内のセルの変更を指示するメッセージに基づいて前記端末装置がセルの設定を変更することによって、上りリンク送信タイミングの基準となるタイミング参照セルが前記グループ内に存在しなくなる場合に、前記グループに関する前記送信タイミンググループの設定のリリースを前記端末装置に行なわせる制御部を含むことを特徴とする基地局装置。
【請求項５】
前記タイミング参照セルは、プライマリセルであり、前記メッセージは前記プライマリセルのハンドオーバーを指示するメッセージであることを特徴とする請求項４に記載の基地局装置。
【請求項６】
前記タイミング参照セルは、上りリンクの送信タイミングが同じセルで構成されたセルグループのセカンダリセルであり、前記メッセージは前記セカンダリセルのリリースを指示するメッセージであることを特徴とする請求項４に記載の基地局装置。
【請求項７】
基地局装置と、複数のセルを集約して前記基地局装置と通信する端末装置とを含む通信システムであって、
前記基地局装置は、前記端末装置に対して、前記セルが属する上りリンク送信タイミングのグループを指示する場合に、前記グループを識別するグループ識別子と、前記グループ内のセルの上りリンク送信タイミングの有効時間を示す送信タイミングタイマーとを含む送信タイミンググループの設定を通知し、
前記端末装置に対して前記グループ内のセルの変更を指示するメッセージを送信し、
前記端末装置は、前記基地局装置から送信される前記メッセージに基づいてセルの設定を変更することによって、上りリンク送信タイミングの基準となるタイミング参照セルが前記グループ内に存在しなくなる場合に、前記グループに関する前記送信タイミンググループの設定をリリースすることを特徴とする通信システム。
【請求項８】
複数のセルを集約して基地局装置と通信する端末装置の通信方法であって、
前記セルが属する上りリンク送信タイミングのグループを識別するグループ識別子と、前記グループ内のセルの上りリンク送信タイミングの有効時間を示す送信タイミングタイマーとを含む送信タイミンググループの設定に基づいて、前記セルが属する前記上りリンク送信タイミングのグループを設定するステップと、
前記基地局装置から送信される、前記グループ内のセルの変更を指示するメッセージに基づいてセルの設定を変更することによって、上りリンク送信タイミングの基準となるタイミング参照セルが前記グループ内に存在しなくなる場合に、前記グループに関する前記送信タイミンググループ設定をリリースするステップとを含むことを特徴とする通信方法。
【請求項９】
複数のセルを集約して端末装置と通信する基地局装置の通信方法であって、
前記端末装置に対して、前記セルが属する上りリンク送信タイミングのグループを指示する場合に、前記グループを識別するグループ識別子と、前記グループ内のセルの上りリンク送信タイミングの有効時間を示す送信タイミングタイマーとを含む送信タイミンググループの設定を通知するステップと、
前記グループ内のセルの変更を指示するメッセージに基づいて前記端末装置がセルの設定を変更することによって、上りリンク送信タイミングの基準となるタイミング参照セルが前記グループ内に存在しなくなる場合に、前記グループに関する前記送信タイミンググループの設定のリリースを前記端末装置に行なわせるステップとを含むことを特徴とする通信方法。
【請求項１０】
複数のセルを集約して基地局装置と通信する端末装置に搭載される集積回路であって、
前記セルが属する上りリンク送信タイミングのグループを識別するグループ識別子と、前記グループ内のセルの上りリンク送信タイミングの有効時間を示す送信タイミングタイマーとを含む送信タイミンググループの設定に基づいて、前記セルが属する前記上りリンク送信タイミングのグループを設定する機能と、
前記基地局装置から送信される、前記グループ内のセルの変更を指示するメッセージに基づいてセルの設定を変更することによって、上りリンク送信タイミングの基準となるタイミング参照セルが前記グループ内に存在しなくなる場合に、前記グループに関する前記送信タイミンググループの設定をリリースする機能とを含む一連の機能を前記端末装置に実行させることを特徴とする集積回路。
【請求項１１】
複数のセルを集約して端末装置と通信する基地局装置に搭載される集積回路であって、
前記端末装置に対して、前記セルが属する上りリンク送信タイミングのグループを指示する場合に、前記グループを識別するグループ識別子と、前記グループ内のセルの上りリンク送信タイミングの有効時間を示す送信タイミングタイマーとを含む送信タイミンググループの設定を通知する機能と、
前記グループ内のセルの変更を指示するメッセージに基づいて前記端末装置がセルの設定を変更することによって、上りリンク送信タイミングの基準となるタイミング参照セルが前記グループ内に存在しなくなる場合に、前記グループに関する前記送信タイミンググループの設定のリリースを前記端末装置に行なわせる機能とを含む一連の機能を前記基地局装置に実行させることを特徴とする集積回路。
【発明の詳細な説明】
【技術分野】
【０００１】
本発明の実施形態は、移動局装置が複数の上りリンク送信タイミングでの送信をサポートする場合において、移動局装置のそれぞれの上りリンク送信タイミングのグループ毎に効率的に上りリンク送信タイミングを制御する移動局装置、基地局装置、通信システム、上りリンク送信制御方法および集積回路に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡの上位互換性を持つＡｄｖａｎｃｅｄ  ＥＵＴＲＡの議論を行っている。Ａｄｖａｎｃｅｄ  ＥＵＴＲＡにおける技術として、キャリア・アグリゲーション（Ｃａｒｒｉｅｒ  Ａｇｇｒｅｇａｔｉｏｎ；ＣＡ）が提案されている。キャリア・アグリゲーションとは、複数の異なる周波数（コンポーネントキャリア（Ｃｏｍｐｏｎｅｎｔ  Ｃａｒｒｉｅｒ；ＣＣ）とも称する）を集約して使用することで伝送レートを向上させる技術である。また、キャリア・アグリゲーションを用いて基地局装置と通信中の移動局装置が、周波数毎またはコンポーネントキャリア毎に複数の上りリンク送信タイミング（Ｔｉｍｉｎｇ  Ａｄｖａｎｃｅ；ＴＡ）を持つことが提案されている（非特許文献１）。
【０００４】
ＥＵＴＲＡでは、移動局装置の上りリンク送信タイミングを調整するために、ランダムアクセス手順が用意されている。ランダムアクセス手順は、移動局装置が自律的にランダムアクセス手順の必要性を判断して開始する方法のほかに、基地局装置が、特定の移動局装置にランダムアクセス手順を開始させるために物理下りリンク制御チャネルにランダムアクセス手順の開始を示す情報を設定して送信するという方法がある。
【０００５】
また、３ＧＰＰにおいて、キャリア・アグリゲーションを用いて基地局装置と通信中の移動局装置が、一つまたは複数の周波数（コンポーネントキャリア）毎に異なる上りリンク送信タイミングを必要とする場合に、同一の上りリンク送信タイミングの周波数（コンポーネントキャリア）をグループ化し、グループ毎に上りリンク送信タイミングの状態を管理するタイマー（送信タイミングタイマー、Ｔｉｍｉｎｇ  Ａｌｉｇｎｍｅｎｔ  Ｔｉｍｅｒ；ＴＡＴ）を持つこと、グループ毎に上りリンク送信タイミングの基準となる参照セル（reference cell）を一つ持つことが提案されている（非特許文献２）。なお、この上りリンク送信タイミングが同じ周波数（コンポーネントキャリア）を表すグループのことを、送信タイミンググループ（Ｔｉｍｉｎｇ  Ａｌｉｇｎｍｅｎｔ  Ｇｒｏｕｐ；ＴＡＧ）とも称する。
【０００６】
同じく３ＧＰＰにおいて、キャリア・アグリゲーションを用いて基地局装置と通信中の移動局装置の周波数（コンポーネントキャリア）が属するグループを、基地局装置からの指示によって周波数（コンポーネントキャリア）毎に異なる別のグループに変更可能であることが提案されている（非特許文献３）。
【０００７】
また、基地局装置は、１つの下りリンクのコンポーネントキャリアと１つの上りリンクのコンポーネントキャリアを組み合わせて１つのセルを構成する。なお、基地局装置は、１つの下りリンクコンポーネントキャリアのみでも１つのセルを構成できる。
【先行技術文献】
【非特許文献】
【０００８】
【非特許文献１】Ｒ２−１０１５６７、ＮＴＴ  ＤＯＣＯＭＯ、３ＧＰＰ  ＴＳＧ−ＲＡＮ  ＷＧ２＃６９、２２−２６  Ｆｅｂｒｕａｒｙ  ２０１０、Ｓａｎ  Ｆｒａｎｃｉｓｃｏ、ＵＳＡ
【非特許文献２】Ｒ２−１１５８０３、Ｎｏｋｉａ  Ｓｉｅｍｅｎｓ  Ｎｅｔｗｏｒｋｓ，Ｎｏｋｉａ  Ｃｏｒｐｏｒａｔｉｏｎ、３ＧＰＰ  ＴＳＧ−ＲＡＮ  ＷＧ２＃７６、１４−１８  Ｎｏｖｅｍｂｅｒ  ２０１１、Ｓａｎ  Ｆｒａｎｃｉｓｃｏ，ＵＳＡ
【非特許文献３】Ｒ２−１１５１９９、ＨＴ  ｍＭｏｂｉｌｅ  Ｉｎｃ．、３ＧＰＰ  ＴＳＧ−ＲＡＮ  ＷＧ２＃７５ｂｉｓ、１０−１４  Ｏｃｔｏｂｅｒ  ２０１１、Ｚｈｕｈａｉ，Ｃｈｉｎａ
【発明の概要】
【発明が解決しようとする課題】
【０００９】
しかしながら、非特許文献３で示されるように、基地局装置の指示によって通信中のセルが属する上りリンクの送信タイミングのグループを変更する方法は、当該セルを維持したままグループのみを変更する方法のみが開示されている。しかしながら、ハンドオーバーによるセルの変更など、在圏セル構成の変更を行うことによって上りリンク送信タイミングの基準となる参照セルが変更された場合、同じグループに属する被参照セルの上りリンクの送信タイミングの参照セルが存在しなくなり、送信タイミングが不定となってしまった。
【００１０】
また、送信タイミンググループや送信タイミングタイマーをどのように再設定するかについて何も決定されていなかった。これは、移動局装置に対して実質的に使用できない無線リソースが設定されることを意味する。そのため、通信システムにおける上りリンク送信制御に関する無線リソース管理が非効率となり、無線リソースの利用効率が低下するという問題があった。
【００１１】
上記の課題を鑑みて、本発明の実施形態の目的は、移動局装置が複数の上りリンク送信タイミングでの送信をサポートする場合において、上りリンク送信タイミングのグループ毎に効率的に上りリンク送信タイミングを制御する移動局装置、基地局装置、通信システム、上りリンク送信制御方法および集積回路を提供することを目的とする。
【課題を解決するための手段】
【００１２】
（１）上記の目的を達成するために以下のような手段を講じた。すなわち、本発明の実施形態における移動局装置は、複数のセルを集約して基地局装置と接続する移動局装置であって、前記基地局装置からの指示に基づいて異なる周波数のセルをグループ化し、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定し、前記タイミング参照セルの変更指示メッセージを受信した場合、現在の設定内容および変更後の前記タイミング参照セルを指定するセル情報に基づいて、変更前と変更後の前記タイミング参照セルが属するそれぞれのグループにおけるタイミング参照セルと、グループ識別子と、送信タイミングタイマーの一つまたは複数を再設定することを特徴とする。
【００１３】
（２）また、本発明の実施形態における移動局装置の前記タイミング参照セルは、前記セルから一つ選択されるプライマリセルであり、前記タイミング参照セルの変更指示メッセージはプライマリセル変更指示メッセージであることを特徴とする。
【００１４】
（３）また、本発明の実施形態における移動局装置の前記タイミング参照セルは、上りリンクの送信タイミングが同じセルで構成されたセルグループ毎に一つ選択されるセカンダリセルであり、前記タイミング参照セルの変更指示メッセージはセカンダリセル変更指示メッセージであることを特徴とする。
【００１５】
（４）また、本発明の実施形態における移動局装置は、変更前の前記タイミング参照セルが属する第１のグループのタイミング参照セルの設定をリリースし、変更後の前記タイミング参照セルが属する第２のグループのタイミング参照セルを変更後の前記タイミング参照セルに再設定することを特徴とする。
【００１６】
（５）また、本発明の実施形態における移動局装置は、変更前の前記タイミング参照セルが属する第１のグループのグループ識別子と変更後の前記タイミング参照セルが属する第２のグループのグループ識別子とを入れ替えることを特徴とする。
【００１７】
（６）また、本発明の実施形態における移動局装置は、変更前の前記タイミング参照セルが属する第１のグループのグループ識別子と変更後の前記タイミング参照セルが属する第２のグループのグループ識別子を、それぞれのグループに属するセルのセルインデックスに基づいて再設定することを特徴とする。
【００１８】
（７）また、本発明の実施形態における移動局装置は、変更前の前記タイミング参照セルが属する第１のグループの送信タイミングタイマーと変更後の前記タイミング参照セルが属する第２のグループの送信タイミングタイマーを、それぞれ停止することを特徴とする。
【００１９】
（８）また、本発明の実施形態における基地局装置は、複数のセルを集約して移動局装置と接続する基地局装置であって、前記移動局装置に対して異なる周波数のセルのグループ化を指示し、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定し、前記タイミング参照セルの変更指示メッセージを送信することによって、前記移動局装置の現在の設定内容および前記移動局装置の変更後の前記タイミング参照セルを指定するセル情報に基づいて、前記移動局装置の変更前と変更後の前記タイミング参照セルが属するそれぞれのグループにおけるタイミング参照セルと、グループ識別子と、送信タイミングタイマーの一つまたは複数を前記移動局装置に再設定させることを特徴とする。
【００２０】
（９）また、本発明の実施形態における基地局装置の前記タイミング参照セルは、前記セルから一つ選択されるプライマリセルであり、前記タイミング参照セルの変更指示メッセージはプライマリセル変更指示メッセージであることを特徴とする。
【００２１】
（１０）また、本発明の実施形態における基地局装置の前記タイミング参照セルは、上りリンクの送信タイミングが同じセルで構成されたセルグループ毎に一つ選択されるセカンダリセルであり、前記タイミング参照セルの変更指示メッセージはセカンダリセル変更指示メッセージであることを特徴とする。
【００２２】
（１１）また、本発明の実施形態における基地局装置は、前記移動局装置に対して、変更前の前記タイミング参照セルが属する第１のグループのタイミング参照セルの設定をリリースさせ、変更後の前記タイミング参照セルが属する第２のグループのタイミング参照セルを変更後の前記タイミング参照セルに再設定させることを特徴とする。
【００２３】
（１２）また、本発明の実施形態における基地局装置は、前記移動局装置に対して、変更前の前記タイミング参照セルが属する第１のグループのグループ識別子と変更後の前記タイミング参照セルが属する第２のグループのグループ識別子とを入れ替えさせることを特徴とする。
【００２４】
（１３）また、本発明の実施形態における基地局装置は、前記移動局装置に対して、変更前の前記タイミング参照セルが属する第１のグループのグループ識別子と変更後の前記タイミング参照セルが属する第２のグループのグループ識別子を、それぞれのグループに属するセルのセルインデックスに基づいて再設定させることを特徴とする。
【００２５】
（１４）また、本発明の実施形態における基地局装置は、前記移動局装置に対して、変更前の前記タイミング参照セルが属する第１のグループの送信タイミングタイマーと変更後の前記タイミング参照セルが属する第２のグループの送信タイミングタイマーを、それぞれ停止させることを特徴とする。
【００２６】
（１５）また、本発明の実施形態における通信システムは、複数のセルを集約して基地局装置と移動局装置が接続する通信システムであって、前記基地局装置は、前記移動局装置に対して異なる周波数のセルをグループ化し、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定し、前記移動局装置の前記タイミング参照セルを変更する場合に前記移動局装置に対して変更指示メッセージを送信し、前記移動局装置は、前記基地局装置から前記タイミング参照セルの変更指示メッセージを受信した場合、現在の設定内容および変更後の前記タイミング参照セルを指定するセル情報に基づいて、変更前と変更後の前記タイミング参照セルが属するそれぞれのグループにおけるタイミング参照セルと、グループ識別子と、送信タイミングタイマーの一つまたは複数を再設定することを特徴とする。
【００２７】
（１６）また、本発明の実施形態における移動局装置の上りリンク送信制御方法は、複数のセルを集約して基地局装置と接続する移動局装置の上りリンク送信制御方法であって、前記基地局装置からの指示に基づいて異なる周波数のセルをグループ化するステップと、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定するステップと、前記タイミング参照セルの変更指示メッセージを受信するステップと、現在の設定内容および変更後の前記タイミング参照セルを指定するセル情報に基づいて、変更前と変更後の前記タイミング参照セルが属するそれぞれのグループにおけるタイミング参照セルと、グループ識別子と、送信タイミングタイマーの一つまたは複数を再設定するステップとを備えることを特徴とする。
【００２８】
（１７）また、本発明の実施形態における基地局装置の上りリンク送信制御方法は、複数のセルを集約して移動局装置と接続する基地局装置の上りリンク送信制御方法であって、前記移動局装置に対して異なる周波数のセルのグループ化を指示するステップと、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定するステップと、前記タイミング参照セルの変更指示メッセージを送信するステップと、前記移動局装置の現在の設定内容および前記移動局装置の変更後の前記タイミング参照セルを指定するセル情報に基づいて、前記移動局装置の変更前と変更後の前記タイミング参照セルが属するそれぞれのグループにおけるタイミング参照セルと、グループ識別子と、送信タイミングタイマーの一つまたは複数を前記移動局装置に再設定させるステップとを備えることを特徴とする。
【００２９】
（１８）また、本発明の実施形態における移動局装置に搭載される集積回路は、複数のセルを集約して基地局装置と接続する移動局装置に搭載される集積回路であって、前記基地局装置からの指示に基づいて異なる周波数のセルをグループ化し、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定し、前記タイミング参照セルの変更指示メッセージを受信した場合、現在の設定内容および変更後の前記タイミング参照セルを指定するセル情報に基づいて、変更前と変更後の前記タイミング参照セルが属するそれぞれのグループにおけるタイミング参照セルと、グループ識別子と、送信タイミングタイマーの一つまたは複数を再設定することを特徴とする。
【００３０】
（１９）また、本発明の実施形態における基地局装置に搭載される集積回路は、複数のセルを集約して移動局装置と接続する基地局装置に搭載される集積回路であって、前記移動局装置に対して異なる周波数のセルのグループ化を指示し、前記グループ内のセルの上りリンク送信タイミングの基準となるタイミング参照セルと、前記グループを識別するグループ識別子と、前記グループ内のセルの上りリンク送信タイミングの有効時間を示す送信タイミングタイマーとを前記グループ毎に設定し、前記タイミング参照セルの変更指示メッセージを送信することによって、前記移動局装置の現在の設定内容および前記移動局装置の変更後の前記タイミング参照セルを指定するセル情報に基づいて、前記移動局装置の変更前と変更後の前記タイミング参照セルが属するそれぞれのグループにおけるタイミング参照セルと、グループ識別子と、送信タイミングタイマーの一つまたは複数を前記移動局装置に再設定させることを特徴とする。
【００３１】
本明細書では、移動局装置と基地局装置が異なる周波数の複数の在圏セルを用いて接続される場合における移動局装置、基地局装置、通信システム、上りリンク送信制御方法および集積回路の改良という点において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。
【００３２】
例えば、本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、およびその他のシステム等の、種々の通信システムにおいて使用され得る。また、本明細書において、システムとネットワークは同義的に使用され得る。
【発明の効果】
【００３３】
以上説明したように、本発明の実施形態によれば、異なる周波数の複数の在圏セルを用いて基地局装置と接続可能な移動局装置が複数の上りリンク送信タイミングでの送信をサポートする場合において、上りリンク送信タイミングのグループ毎に効率的に上りリンク送信タイミングを制御する移動局装置、基地局装置、通信システム、上りリンク送信制御および集積回路を提供することが出来る。
【図面の簡単な説明】
【００３４】
【図１】本発明の実施形態における移動局装置の概略構成を示すブロック図である。
【図２】本発明の実施形態における基地局装置の概略構成を示すブロック図である。
【図３】本発明の第１の実施形態におけるプライマリセル変更手順について説明するためのシーケンスチャート図である。
【図４】本発明の第１の実施形態における複数の上りリンク送信タイミングを持つセルの設定の一例を示す図である。
【図５】本発明の第１の実施形態におけるプライマリセル再設定事前処理について説明するためのフローチャート図である。
【図６】本発明の第１の実施形態におけるプライマリセル変更時に必要な再設定処理について説明するための図である。
【図７】本発明の第１の実施形態における参照セル再設定について説明するためのフローチャート図である。
【図８】本発明の第１の実施形態におけるセルグループ再設定について説明するためのフローチャート図である。
【図９】本発明の第１の実施形態における送信タイミングタイマー再設定について説明するためのフローチャート図である。
【図１０】本発明の第２の実施形態におけるセカンダリセル変更手順について説明するためのシーケンスチャート図である。
【図１１】本発明の第２の実施形態におけるセカンダリセル再設定事前処理について説明するためのフローチャート図である。
【図１２】本発明の第２の実施形態における参照セル再設定について説明するためのフローチャート図である。
【図１３】本発明の第２の実施形態における送信タイミングタイマー再設定について説明するためのフローチャート図である。
【図１４】本発明の実施形態に係る通信ネットワーク構成の一例を示す図である。
【図１５】本発明の実施形態に係る移動局装置に対するコンポーネントキャリアの設定の一例を示す図である。
【図１６】Contention based Random Access手順について説明するためのシーケンスチャート図である。
【図１７】Non-contention based Random Access手順について説明するためのシーケンスチャート図である。
【発明を実施するための形態】
【００３５】
本発明の各実施形態を説明する前に、本発明の各実施形態に関わる技術について以下に簡単に説明する。
【００３６】
[物理チャネル]
ＥＵＴＲＡおよびＡｄｖａｎｃｅｄ  ＥＵＴＲＡで使用される主な物理チャネル（または物理シグナル）について説明を行なう。チャネルとは信号の送信に用いられる媒体を意味し、物理チャネルとは信号の送信に用いられる物理的な媒体を意味する。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００３７】
ＥＵＴＲＡおよびＡｄｖａｎｃｅｄ  ＥＵＴＲＡでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３８】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。移動局装置は、セルサーチによって受信した同期シグナルのセルＩＤを特定する。
【００３９】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、共通無線リソース設定情報などが通知される。
【００４０】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。移動局装置は、セル固有ＲＳを受信することでセル毎の受信品質を測定する。また、移動局装置は、セル固有ＲＳと同時に送信される物理下りリンク制御チャネル、または物理下りリンク共用チャネルの復調のための参照用の信号としても下りセル固有ＲＳを使用する。セル固有ＲＳに使用される系列は、セル毎に識別可能な系列が用いられる。
【００４１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、移動局装置毎に個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルの復調に用いられる。
【００４２】
物理下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＤＦＭシンボルで送信される以外に、基地局装置から移動局装置に対して個別（ｄｅｄｉｃａｔｅｄ）に割り当てられるリソースブロックの領域で送信されるように構成することも可能である。
【００４３】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求）であるスケジューリングリクエスト（ＳＲ；Ｓｃｈｅｄｕｌｉｎｇ  Ｒｅｑｕｅｓｔ）を行なうために使用される。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００４４】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして移動局装置に通知するためにも使用される。物理下りリンク共用チャネルの無線リソース割り当て情報は、物理下りリンク制御チャネルで示される。
【００４５】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクと同様に物理上りリンク共用チャネルの無線リソース割り当て情報は、物理下りリンク制御チャネルで示される。
【００４６】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的サウンディング参照信号（Ｐｅｒｉｏｄｉｃ  ＳＲＳ）と非周期的サウンディング参照信号（Ａｐｅｒｉｏｄｉｃ  ＳＲＳ）とがある。
【００４７】
物理ランダムアクセスチャネル（PRACH; Physical Random Access Channel）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するために物理ランダムアクセスチャネルを用いる。
【００４８】
具体的には、移動局装置は、基地局装置より設定された物理ランダムアクセスチャネル用の無線リソースを用いてプリアンブル系列を送信する。送信タイミング調整情報を受信した移動局装置は、報知情報によって共通的に設定される（またはレイヤ３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤ３メッセージは、移動局装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義の意味で使用される。なお、それ以外の物理チャネルは、本発明の各実施形態に関わらないため詳細な説明は省略する。
【００４９】
[キャリア・アグリゲーション]
キャリア・アグリゲーションとは、複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術である。例えば、キャリア・アグリゲーションによって周波数帯域幅が２０ＭＨｚのコンポーネントキャリアを５つ集約した場合、キャリア・アグリゲーションを可能な能力を持つ移動局装置はこれらを一つの１００ＭＨｚの周波数帯域幅とみなしてアクセスする。なお、集約するコンポーネントキャリアは連続した周波数であっても、全てまたは一部が不連続となる周波数であってもよい。例えば、使用可能な周波数バンドが８００ＭＨｚ帯、２．４ＧＨｚ帯、３．４ＧＨｚ帯である場合、あるコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００５０】
また、同一周波数帯、例えば２．４ＧＨｚ帯内の連続または不連続の複数のコンポーネントキャリアを集約することも可能である。各コンポーネントキャリアの周波数帯域幅は２０ＭＨｚより狭い周波数帯域幅であっても良く、各々周波数帯域幅が異なっていても良い。周波数帯域幅は、後方互換性を考慮して従来のセルの周波数帯域幅のいずれかと等しいことが望ましい。基地局装置は、滞留しているデータバッファ量や移動局装置から報告されるセルの受信品質、セル内の負荷やＱｏＳなどの種々の要因に基づいて、移動局装置に割り当てる上りリンクまたは下りリンクのコンポーネントキャリアの数を増減することができる。なお、基地局装置が移動局装置に割り当てる（設定する、追加する）上りリンクコンポーネントキャリアの数は、下りリンクコンポーネントキャリアの数と同じか少ないことが望ましい。
【００５１】
[通信ネットワーク構成]
図１４は、本発明の実施形態に係る通信ネットワーク構成の一例を示す図である。移動局装置１は、キャリア・アグリゲーションによって複数の周波数（コンポーネントキャリア、Band1〜Band3）の周波数帯域を同時に用いて基地局装置２と無線接続することが可能な場合、通信ネットワーク構成としては、ある一つの基地局装置２が複数の周波数毎に送信装置１１〜１３（および図示しない受信装置２１〜２３）を備えており、各周波数の制御を一つの基地局装置２で行なう構成が制御の簡略化の観点から好適である。基地局装置２の構成は図１４に限定されない。
【００５２】
ただし、複数の周波数が連続する周波数であるなどの理由で、基地局装置２が一つの送信装置で複数の周波数の送信を行なう構成であっても構わない。さらには、周波数毎に送受信のタイミングが異なるような構成であっても良い。送信装置と受信装置の数や送受信可能な周波数が異なっていてもよい。基地局装置２の送信装置によって制御される各周波数の通信可能範囲はセルとしてみなされる。このとき、各周波数がカバーするエリア（セル）はそれぞれ異なる広さ、異なる形状であっても良い。また、カバーするエリアが周波数毎に異なっていてもよい。
【００５３】
ただし、後述する記載において、基地局装置２が構成するコンポーネントキャリアの周波数でカバーされるエリアのことをそれぞれセルと称して説明するが、これは本発明の各実施形態における移動局装置や基地局装置を実際に運用する通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。また、従来のセルとは異なる拡張セルとして定義するかもしれない。本発明の各実施形態でコンポーネントキャリアをセルと称することで、実際に運用される通信システムにおけるセルの定義と異なる場合が発生したとしても、本発明の各実施形態の主旨には影響しない。
【００５４】
なお、キャリア・アグリゲーションは、複数のコンポーネントキャリア（周波数帯域）を用いた複数のセルによる通信であり、セル・アグリゲーションとも称される。なお、移動局装置１は、周波数毎にリレー局装置（またはリピーター）を介して基地局装置２と無線接続されても良い。すなわち、本発明の各実施形態の基地局装置２は、リレー局装置に置き換えることが出来る。
【００５５】
３ＧＰＰが規定する第３世代の基地局装置２はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定する第３世代の移動局装置１はユーイー（ＵＥ；Ｕｓｅｒ  Ｅｑｕｉｐｍｅｎｔ）と称される。基地局装置２は移動局装置１が通信可能なエリアであるセルを管理し、セルは移動局装置１と通信可能なエリアの大きさに応じてマクロセルやフェムトセルやピコセル、ナノセルとも称される。また、移動局装置１がある基地局装置２と通信可能であるとき、その基地局装置２のセルのうち、移動局装置１との通信に使用しているセルは在圏セル（Serving cell）であり、その他のセルは周辺セル（Neighboring cell）と称される。つまり、キャリア・アグリゲーションを用いて移動局装置１と基地局装置２が複数のセルを用いて通信している場合、移動局装置１における在圏セルは複数存在することになる。
【００５６】
また、各実施形態において単に移動局装置または基地局装置と称した場合、キャリア・アグリゲーションによって異なる複数の上りリンク送信タイミングを持つセルを集約した通信をサポートする移動局装置および基地局装置のことを示す。
【００５７】
[コンポーネントキャリア設定]
図１５は、本発明の実施形態に係る移動局装置１がキャリア・アグリゲーションを行なう場合に、基地局装置２が移動局装置１に対して設定する下りリンクコンポーネントキャリアと、上りリンクコンポーネントキャリアの対応関係の一例を示した図である。図１５では、４個の下りリンクコンポーネントキャリア（下りリンクコンポーネントキャリアＤＬ＿ＣＣ１〜ＤＬ＿ＣＣ４）と３個の上りリンクコンポーネントキャリア（上りリンクコンポーネントキャリアＵＬ＿ＣＣ１〜ＵＬ＿ＣＣ３）の対応関係について示すが、本発明の実施形態が図１５に示すコンポーネントキャリアの設定例の構成のみに限定されるということではない。
【００５８】
図１５中の下りリンクコンポーネントキャリアＤＬ＿ＣＣ１と上りリンクコンポーネントキャリアＵＬ＿ＣＣ１、下りリンクコンポーネントキャリアＤＬ＿ＣＣ２と上りリンクコンポーネントキャリアＵＬ＿ＣＣ２、および下りリンクコンポーネントキャリアＤＬ＿ＣＣ３と上りリンクコンポーネントキャリアＵＬ＿ＣＣ３はセル固有接続（Ｃｅｌｌ  Ｓｐｅｃｉｆｉｃ  Ｌｉｎｋａｇｅ）している。また、下りリンクコンポーネントキャリアＤＬ＿ＣＣ４のように、上りリンクコンポーネントキャリアの設定のない（セル固有接続のない）、下りリンクのみのコンポーネントキャリアをキャリア・アグリゲーションのために構成することも可能である。
【００５９】
セル固有接続とは、上りリンクと下りリンクのコンポーネントキャリアの対応関係（連携関係、リンク情報）であり、典型的には報知情報の一部（ＳＩＢ２；Ｓｙｓｔｅｍ  Ｉｎｆｏｒｍａｔｉｏｎ  Ｂｌｏｃｋ  Ｔｙｐｅ２）でその対応関係が示される。セル固有接続は、ＳＩＢ２  ｌｉｎｋａｇｅとも称され、報知情報の一部として設定（コンフィギュレーション）が明示的に通知されるか、キャリア・アグリゲーションにおけるコンポーネントキャリア（セル）を追加する場合に、ＲＲＣメッセージ（レイヤ３メッセージ）で対応関係の設定が通知されるか、または明示的に指示されない場合に一意に決められる上りリンクと下りリンクの規定の対応関係の情報を用いるなどして暗黙的に設定が通知される。ＲＲＣメッセージを用いる場合、基地局装置２は、設定する当該下りリンクコンポーネントキャリアの報知情報で示される上りリンクコンポーネントキャリアと異なるセル固有接続の情報を移動局装置１に通知してもよい。
【００６０】
これに対し、基地局装置２は、下りリンクコンポーネントキャリアと上りリンクコンポーネントキャリアの対応関係を、セル固有接続とは別に移動局装置１毎に個別に設定（個別接続；ＵＥ  Ｓｐｅｃｉｆｉｃ  Ｌｉｎｋａｇｅ）することも可能である。このとき、個別接続の設定はＲＲＣメッセージ（レイヤ３メッセージ）で示される。基地局装置２は、物理ランダムアクセスチャネルの送信に必要な設定（コンフィギュレーション）を上りリンクコンポーネントキャリア毎、または上りリンク周波数毎に複数割り当てることも可能である。
【００６１】
セル固有接続は、典型的には、移動局装置１がキャリア・アグリゲーションしていない場合に、基地局装置２との通信に用いる上りリンクと下りリンクの周波数の対応関係を示すために使用される。また、キャリア・アグリゲーション時に物理下りリンク制御チャネルによって通知される無線リソース割り当てが適用される上りリンクと下りリンクのコンポーネントキャリアの対応関係を示すために使用される。
【００６２】
個別接続は、典型的には、移動局装置１の上りリンクコンポーネントキャリアの送信電力制御に用いるパスロスを、どの下りリンクコンポーネントキャリアの品質を基に算出するかを示すために使用される。また、個別接続は、移動局装置１のコンポーネントキャリアのスケジューリング（無線リソース割り当て）を行う無線リソース割り当て情報を通知する物理下りリンク制御チャネルＰＤＣＣＨが、どの下りリンクコンポーネントキャリアで送信されるかを示すために使用される。
【００６３】
無線リソース要求のための上りリンク制御チャネル設定の行われる上りリンクコンポーネントキャリアと、当該上りリンクコンポーネントキャリアとセル固有接続される下りリンクコンポーネントキャリアから構成されるセルは、プライマリセル（ＰＣｅｌｌ；Ｐｒｉｍａｒｙ  ｃｅｌｌ）と称される。また、プライマリセル以外のコンポーネントキャリアから構成されるセルは、セカンダリセル（ＳＣｅｌｌ；Ｓｅｃｏｎｄａｒｙ  ｃｅｌｌ）と称される。
【００６４】
移動局装置１は、プライマリセルでページングメッセージの受信、報知情報の更新の検出、初期アクセス手順およびスケジューリング要求のためのランダムアクセスなどを行う一方、セカンダリセルではこれらを行わない。プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置２から明示的に指定されるほか、コンポーネントキャリア毎に移動局装置１に設定されるタイマーに基づいて状態が変更される。前述したように、プライマリセルとセカンダリセルとを合わせてサービングセル（在圏セル）と称する。
【００６５】
セカンダリセルを識別するため、移動局装置１と基地局装置２は、プライマリセルおよびセカンダリセルに対してセルインデックスを割り振り、セルインデックスを用いることで追加、削除、変更の対象となる在圏セルを識別する。プライマリセルのセルインデックスは常に０（ゼロ）であり、セカンダリセルのセルインデックスは１〜７のいずれか一つが割り振られる。
【００６６】
ここで、コンポーネントキャリアの活性化または不活性化（すなわちセカンダリセルの活性化または不活性化）は、レイヤ２の構成タスクで解釈可能なＬ２（レイヤ２）メッセージによって制御されるように構成される。すなわち、物理層（レイヤ１）でデコードされた後にレイヤ２で認識される制御コマンドによって活性化または不活性化が制御される。なお、ＥＵＴＲＡならびにＡｄｖａｎｃｅｄ  ＥＵＴＲＡにおけるＬ２メッセージは、ＭＡＣ層で解釈される制御コマンド（ＭＡＣ制御要素；ＭＡＣ  Ｃｏｎｔｒｏｌ  Ｅｌｅｍｅｎｔ）によって通知される。
【００６７】
移動局装置１は、不活性化されたコンポーネントキャリア（セカンダリセル）のスケジューリングに用いる上りリンクグラント、および下りリンクグラント（下りリンクアサインメント）のモニタを停止してよい。すなわち、物理下りリンク制御チャネルのモニタを停止してよい。また、移動局装置１は、不活性化されたコンポーネントキャリア（セカンダリセル）の上りリンクに関して、上りリンクリファレンスシグナルである周期的サウンディング参照信号（Ｐｅｒｉｏｄｉｃ  ＳＲＳ）の送信を停止してもよい。また、移動局装置１は、不活性化されたコンポーネントキャリア（セカンダリセル）の上りリンクに関して、物理上りリンク制御チャネルの送信を停止しても良い。また、移動局装置１は、不活性化されたコンポーネントキャリア（セカンダリセル）の下りリンクに関して、活性化した状態よりも低いサンプリングレートで測定を実施してもよい。
【００６８】
[ランダムアクセス手順]
ランダムアクセスに関する一連の手順のことをランダムアクセス手順と称す。ランダムアクセス手順には、Contention based Random Access（競合ベースランダムアクセス）手順とNon-contention based Random Access（非競合ベースランダムアクセス）手順の２つの手順がある。
【００６９】
Contention based Random Access手順は、異なる移動局装置が送信したプリアンブル系列が衝突（contention）する可能性のあるランダムアクセス手順であり、移動局装置が基地局装置と接続（通信）していない状態からの初期アクセスのためや、移動局装置が基地局装置と接続している状態からの上りリンクの送信リソースを要求するスケジューリングリクエストのためなどに使用される。プリアンブル系列が衝突するということは、複数の移動局装置が同じプリアンブル系列を用いて物理ランダムアクセスチャネルを同一の周波数・時間リソースを用いて送信することを意味する。なお、プリアンブル系列の衝突は、ランダムアクセスの衝突とも称される。
【００７０】
Non-contention based Random Access手順は、異なる移動局装置が送信したプリアンブル系列に衝突が発生しないランダムアクセス手順であり、移動局装置が基地局装置と接続している状態であり、かつ上りリンクの同期が外れている状態で、基地局装置の指示により開始される。Non-contention based Random Access手順は、ＲＲＣ（Ｒａｄｉｏ  Ｒｅｓｏｕｒｃｅ  Ｃｏｎｔｒｏｌ；Ｌａｙｅｒ３）層のメッセージおよび物理下りリンク制御チャネルＰＤＣＣＨの制御データにより開始が指示される。
【００７１】
Non-contention based Random Access手順で使用するプリアンブル系列（個別プリアンブル（dedicated preamble））は、基地局装置より個別に移動局装置に通知される。Contention based Random Access手順で使用されるプリアンブル系列は、個別プリアンブルとして使用されないプリアンブル系列から移動局装置がランダムアクセス時にランダムに一つ選択して使用する。あるセルで移動局装置が使用可能なプリアンブル系列のうち、Contention based Random Access手順とNon-contention based Random Access手順でそれぞれ使用されるプリアンブル系列の数は基地局装置から通知される。
【００７２】
図１６を用いて、Contention based Random Access手順を簡単に説明する。まず、移動局装置１は、下りリンクの無線伝搬路損失（パスロス）やメッセージ３（ステップＳ３で送信されるメッセージ）のサイズに基づいて選択したプリアンブル系列（ランダムアクセスプリアンブル）を基地局装置２に送信する（ステップＳ１）。ランダムアクセスプリアンブルを受信した基地局装置２は、ランダムアクセスプリアンブルから移動局装置１と基地局装置２との間の送信タイミングのずれ量を算出し、ランダムアクセスプリアンブルに対する応答（ランダムアクセスレスポンス）に送信タイミングのずれを調整するための送信タイミング調整情報を含めて移動局装置１に送信する（ステップＳ２）。
【００７３】
移動局装置１は、ランダムアクセスレスポンスの中身を確認し、送信したランダムアクセスプリアンブルに対応するプリアンブル番号がランダムアクセスレスポンスに含まれている場合、送信タイミング調整情報から上りリンク送信タイミングを調整する。移動局装置１は、送信タイミングを調整した場合に、調整した送信タイミングが有効であることを示す送信タイミングタイマー（ＴＡ  ｔｉｍｅｒ；ＴＡＴ）をスタートする。
【００７４】
また、移動局装置１は、ランダムアクセスレスポンスに含まれているスケジューリング情報を元に上位レイヤ（Ｈｉｇｈｅｒ  ｌａｙｅｒ）のメッセージ（上位レイヤメッセージ、ＲＲＣメッセージ）を基地局装置２に送信する（ステップＳ３）。基地局装置２は、ステップＳ３の上位レイヤメッセージを受信できた移動局装置１に衝突確認メッセージ（コンテンションレゾリューション、Contention resolution）を送信し（ステップＳ４）、手順を完了する。
【００７５】
図１７を用いて、Non-contention based Random Access手順を簡単に説明する。まず、基地局装置２は、個別プリアンブルの番号と使用する物理ランダムアクセスチャネルの番号（ランダムアクセスチャネル番号）を移動局装置１に通知（ランダムアクセスプリアンブル割り当て）する（ステップＳ１１）。ランダムアクセスチャネル番号とは、基地局装置２が移動局装置１に通知した個別プリアンブル（または個別プリアンブルの番号）を用いた物理ランダムアクセスチャネルの送信を許可するサブフレームを示す番号である。例えば、あるランダムアクセスチャネル番号は全ての物理ランダムアクセスチャネルで個別プリアンブルを送信してもよいことを示し、あるランダムアクセスチャネル番号は時間方向で２個毎の物理ランダムアクセスチャネルで個別プリアンブルを送信してもよいことを示す。
【００７６】
ランダムアクセスプリアンブル割り当ては、基地局装置２から物理下りリンク制御チャネルまたはＲＲＣメッセージを使用して移動局装置１に通知される。
【００７７】
移動局装置１は、指定されたプリアンブルの番号に対応するプリアンブル系列（個別プリアンブル）を、ランダムアクセスチャネル番号により示された個別プリアンブルの送信が許可される物理ランダムアクセスチャネルで送信する（ステップＳ１２）。個別プリアンブルを受信した基地局装置２は、個別プリアンブルから移動局装置１と基地局装置２との間の送信タイミングのずれ量を算出し、個別プリアンブルに対する応答（ランダムアクセスレスポンス）に送信タイミングのずれを調整するための送信タイミング調整情報を含めて移動局装置１に送信し（ステップＳ１３）、手順を完了する。
【００７８】
ただし、基地局装置２から通知されたプリアンブル番号の値が特定の値を示す場合（例えばゼロ）は、移動局装置１はNon-contention based Random Access手順ではなくContention based Random Access手順を行なう。この場合、移動局装置１は図１６のステップＳ１〜ステップＳ４の手順に従ってランダムアクセス手順を完了する。
【００７９】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００８０】
＜第１の実施形態＞
本発明の第１の実施形態について以下に説明する。本実施形態は、移動局装置１のキャリア・アグリゲーション時における上りリンク送信制御方法に関し、特に、移動局装置１が複数の上りリンク送信タイミングを管理している場合の上りリンク送信制御方法について示す。
【００８１】
図１は、本発明の第１の実施形態による移動局装置１の一例を示すブロック図である。本移動局装置１は、受信部１０１、復調部１０２、復号部１０３、測定処理部１０４、制御部１０５、ランダムアクセス制御部１０６、符号部１０７、変調部１０８、送信部１０９、タイミング管理部１１０、上位レイヤ１１１から構成される。上位レイヤ１１１は、無線リソース制御を執り行うＲＲＣ（Ｒａｄｉｏ  Ｒｅｓｏｕｒｃｅ  Ｃｏｎｔｒｏｌ）層を含む。また、ランダムアクセス制御部１０６とタイミング管理部１１０は、データリンク層を管理するＭＡＣ（Ｍｅｄｉｕｍ  Ａｃｃｅｓｓ  Ｃｏｎｔｒｏｌ）層の特定の機能を実現するブロックである。
【００８２】
なお、移動局装置１は、複数の周波数（周波数帯、周波数帯域幅）をサポートするために受信系のブロック（受信部１０１、復調部１０２、復号部１０３）、および送信系のブロック（符号部１０７、変調部１０８、送信部１０９）を複数備えてもよい。
【００８３】
受信に関し、上位レイヤ１１１より制御部１０５へ移動局装置制御情報が入力され、受信に関する制御情報が受信制御情報として、受信部１０１、復調部１０２、復号部１０３へ適切に入力される。移動局装置制御情報は、受信制御情報と送信制御情報によって構成される移動局装置１の無線通信制御に必要な情報であり、基地局装置２やシステムパラメータにより設定され、上位レイヤ１１１が必要に応じて制御部１０５へ入力する。また、受信制御情報は、受信周波数帯域の情報の他に、各チャネルに関する受信タイミング、多重方法、無線リソース配置情報などの情報が含まれている。
【００８４】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤ１１１へと入力する。
【００８５】
測定処理部１０４は、セル（コンポーネントキャリア）毎の下りリンクリファレンスシグナルの受信品質（ＳＩＲ、ＳＩＮＲ、ＲＳＲＰ、ＲＳＲＱ、ＲＳＳＩ、パスロスなど）の測定や、物理下りリンク制御チャネルまたは物理下りリンク共用チャネルの受信誤り率の測定結果に基づいて下りリンク測定情報を生成し、下りリンク測定情報を上位レイヤ１１１へと出力する。また、測定処理部１０４は、必要に応じて受信した下りリンクの物理チャネルのタイミングを測定し、その受信タイミング情報をタイミング管理部１１０へ入力する。下りリンク測定情報は、上位レイヤ１１１において、無線リンク再確立を伴う無線リンク障害（Radio link failure）の検出、および上りリンク送信の停止を伴う無線リンク監視（Radio link monitoring）の実施のために用いられる。
【００８６】
また、送信に関し、上位レイヤ１１１より制御部１０５へ移動局装置制御情報が入力され、送信に関する制御情報が送信制御情報として、ランダムアクセス制御部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。
【００８７】
ランダムアクセス設定情報は上位レイヤ１１１からランダムアクセス制御部１０６に入力される。ランダムアクセス設定情報には、プリアンブル情報や物理ランダムアクセスチャネル送信用の無線リソース情報などが含まれる。上位レイヤ１１１は、必要に応じてタイミング管理部１１０へ上りリンク送信タイミングの調整に用いる送信タイミング調整情報と送信タイミングタイマーを設定する。タイミング管理部１１０は、測定処理部１０４から入力された受信タイミング、または上位レイヤ１１１から設定されたタイミング情報に基づき、セル毎（またはセルグループ毎、ＴＡグループ毎）に上りリンク送信タイミングの状態（送信タイミング調整状態または送信タイミング非調整状態）を管理する。
【００８８】
複数の上りリンク送信タイミングの状態を管理する必要がある場合、上位レイヤ１１１は、タイミング管理部１１０に複数のそれぞれのセル（またはセルグループ、ＴＡグループ）の上りリンク送信タイミングに対応する送信タイミング調整情報を設定する。
【００８９】
符号部１０７には、上位レイヤ１１１より上りリンクデータと上りリンク制御データが入力されるほか、ランダムアクセス制御部１０６から、物理ランダムアクセスチャネルの送信に関するランダムアクセスデータ情報が入力される。符号部１０７は、ランダムアクセスデータ情報に基づき物理ランダムアクセスチャネルで送信されるプリアンブル系列を生成する。また、符号部１０７は送信制御情報に従い、各データを適切に符号化し、変調部１０８に出力する。
【００９０】
変調部１０８は、符号部１０７からの出力を変調する。送信部１０９は、変調部１０８の出力を周波数領域にマッピングすると共に、周波数領域の信号を時間領域の信号へ変換し、既定の周波数の搬送波にのせて電力増幅を行う。さらに、タイミング管理部１１０より入力されたセル毎（またセルグループ毎、ＴＡグループ毎）の送信タイミング調整情報に従って上りリンク送信タイミングを調整して送信する。上りリンク制御データが配置される物理上りリンク共用チャネルは、ユーザデータの他に、例えばレイヤ３メッセージ（無線リソース制御メッセージ；ＲＲＣメッセージ）を含めることも可能である。図１において、その他の移動局装置１の構成要素は本実施形態に特に強い関係がないため省略してあるが、移動局装置１として動作するために必要なその他の機能を有する複数のブロックを構成要素として持つことは明らかである。
【００９１】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ２０８、ネットワーク信号送受信部２０９から構成される。なお、基地局装置２は、複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備えてもよい。
【００９２】
上位レイヤ２０８は、下りリンクデータと下りリンク制御データを符号部２０５へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００９３】
また、受信部２０１は、移動局装置１から受信した信号をベースバンドのデジタル信号に変換する。移動局装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ２０８へと出力する。これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置、ＯＡＭ）やシステムパラメータにより設定され、上位レイヤ２０８が必要に応じて制御部２０４へ入力する。
【００９４】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００９５】
一方、ネットワーク信号送受信部２０９は、基地局装置２間あるいは上位のネットワーク装置と基地局装置２との間の制御メッセージ、またはユーザデータの送信（転送）または受信を行なう。図２において、その他の基地局装置２の構成要素は本実施形態に特に強い関係がないため省略してあるが、基地局装置２として動作するために必要なその他の機能を有する複数のブロックを構成要素として持つことは明らかである。
【００９６】
また、本移動局装置１と本基地局装置２が配置される通信システムのネットワーク構成は、図１４に示したものと同様のものを適用できる。
【００９７】
図３は、本実施形態に係る移動局装置１と基地局装置２におけるプライマリセルの変更手順について説明するためのシーケンスチャート図である。本シーケンスチャート図の移動局装置１は、基地局装置２と少なくともプライマリセルと、プライマリセルと上りリンク送信タイミングが異なる一つ以上のセカンダリセルを介して接続されている状態（コネクティッド状態）から動作を開始する。
【００９８】
図３では省略してあるが、移動局装置１は、ステップＳ１０１よりも前に、ＲＲＣメッセージによって移動局装置能力通知メッセージ（ＵＥ  Ｃａｐａｂｉｌｉｔｙ）を基地局装置２へ送信する。移動局装置能力通知メッセージは、移動局装置１のアンテナ数などの物理層に関するパラメータ、送受信可能なＥＵＴＲＡにおける周波数バンド（ｂａｎｄＥＵＴＲＡ）、ランダムアクセス能力、ＭＩＭＯ能力、キャリア・アグリゲーション可能な周波数バンドの組み合わせ（ＳｕｐｐｏｒｔＢａｎｄＣｏｍｂｉｎａｔｉｏｎ）などの無線パラメータ（ＲＦ  ｐａｒａｍｅｔｅｒｓ）、測定ギャップなしに測定可能な周波数バンドを示す測定パラメータ（Ｍｅａｓｕｒｅｍｅｎｔ  ｐａｒａｍｅｔｅｒｓ）が少なくとも設定されており、基地局装置２は、移動局装置能力通知メッセージの内容に基づいて、移動局装置１に対して適切な通信リソース設定、測定設定、セカンダリセルを設定することが可能となる。
【００９９】
図４は、図３における移動局装置１と基地局装置２とのキャリア・アグリゲーション状態の一例を示したものである。コンポーネントキャリアＣＣ１〜ＣＣ５は、異なる周波数を示す。プライマリセルＰＣ１はコンポーネントキャリアＣＣ１のセルである。セカンダリセルＳＣ１はコンポーネントキャリアＣＣ２のセルである。セカンダリセルＳＣ２はコンポーネントキャリアＣＣ３のセルである。セカンダリセルＳＣ３はコンポーネントキャリアＣＣ４のセルである。また、キャリア・アグリゲーションを構成しないセル（周辺セルＮＣ１）は、コンポーネントキャリアＣＣ５のセルである。
【０１００】
ここで、プライマリセルＰＣ１とセカンダリセルＳＣ１は、送信タイミンググループ１に属しており、送信タイミンググループ１における上りリンク送信タイミングを管理するためのタイマーは、送信タイミングタイマー１である。同様に、セカンダリセルＳＣ２とセカンダリセルＳＣ３は、送信タイミンググループ２に属しており、送信タイミンググループ２における上りリンク送信タイミングを管理するためのタイマーは、送信タイミングタイマー２である。すなわち、送信タイミンググループ１のセル（プライマリセルＰＣ１、セカンダリセルＳＣ１）と、送信タイミンググループ２のセル（セカンダリセルＳＣ２、セカンダリセルＳＣ３）とは、上りリンク送信タイミングが異なっている。
【０１０１】
プライマリセルを含むセルで構成される送信タイミンググループ（送信タイミンググループ１）のことをプライマリ送信タイミンググループ（ｐＴＡＧ）と称する。また、セカンダリセルだけで構成される送信タイミンググループ（送信タイミンググループ２）のことをセカンダリ送信タイミンググループ（ｓＴＡＧ）と称する。セカンダリ送信タイミンググループは移動局装置１に対して複数設定されてもよい。
【０１０２】
在圏セル（プライマリセル、セカンダリセル）がどの送信タイミンググループに属しているかを識別するために、基地局装置２は、移動局装置１に対して送信タイミンググループ識別子（ＴＡＧ−ＩＤ）を在圏セルに対して設定する。送信タイミンググループ識別子（ＴＡＧ−ＩＤ）は、基地局装置２からＲＲＣメッセージで通知されることが望ましく、報知情報チャネルで共通的に通知されるか、または制御メッセージで移動局装置１毎に個別に通知される。
送信タイミンググループ識別子は、単にグループ識別子と称されてもよい。
【０１０３】
以後の説明において、送信タイミンググループ１の送信タイミンググループ識別子としてＴＡＧ１が、送信タイミンググループ２の送信タイミンググループ識別子としてＴＡＧ２が設定されているとする。また、送信タイミンググループ１の送信タイミングタイマー１としてＴＡＴ１が、送信タイミンググループ２の送信タイミングタイマー２としてＴＡＴ２が設定されているとする。送信タイミングタイマーの長さは、全ての送信タイミンググループで共通の値でもよいし、送信タイミンググループ毎に異なる値でもよい。
【０１０４】
なお、基地局装置２は、送信タイミンググループ識別子を移動局装置１に通知しないことによって、当該セルの送信タイミンググループ識別子としてデフォルト値（例えばゼロ）が設定されることを暗黙的に移動局装置１に通知してもよい。また、移動局装置１は、基地局装置２から送信タイミンググループ識別子が通知されない場合、当該セルの送信タイミンググループ識別子としてデフォルト値が設定されると判断してもよい。
【０１０５】
図４において、送信タイミンググループ１における送信タイミングの基準となる参照セル（以下、タイミング参照セルと称する）はプライマリセルＰＣ１であり、送信タイミンググループ２におけるタイミング参照セルはセカンダリセルＳＣ２であるとする。タイミング参照セルは、当該タイミング参照セルを含む送信タイミンググループの送信タイミングの計算、調整、更新の基準となるセルであり、異なる送信タイミンググループのセルの送信タイミングとはならない。
【０１０６】
また、キャリア・アグリゲーションを構成しないセル（周辺セルＮＣ１）は、いずれかの送信タイミンググループに属するセル、または新規の送信タイミンググループのセル、あるいは送信タイミンググループがまだ設定されていないセルの場合があり得る。図４では、周辺セルＮＣ１を新規の送信タイミンググループ（送信タイミンググループ３）のセルとして説明する。
【０１０７】
タイミング参照セルは各グループに必ず一つ存在する。プライマリ送信タイミンググループにおいて、タイミング参照セルはプライマリセルである。一方、セカンダリ送信タイミンググループにおいて、タイミング参照セルはセカンダリ送信タイミンググループを構成するいずれか一つのセカンダリセルである。移動局装置１は、ランダムアクセス手順が成功したセカンダリセルをタイミング参照セルとみなしてもよいし、基地局装置２からＭＡＣ情報要素またはＲＲＣメッセージで設定されたセカンダリセルをタイミング参照セルとみなしてもよい。
【０１０８】
また、下りリンクリファレンスシグナルの伝搬路損失を示すパスロス（Ｐａｔｈｌｏｓｓ）の計算に用いるセルをパスロス参照セルと称し、上りリンク設定の存在するセカンダリセル毎に設定される。プライマリセルのパスロス参照セルは必ずプライマリセルに設定されるが、上りリンク設定の存在するセカンダリセルのパスロス参照セルはプライマリセルまたは当該セカンダリセルのいずれか一方が設定される。ただし、セカンダリ送信タイミンググループ（ｓＴＡＧ）を構成するセカンダリセルのパスロス参照セルは必ず当該セカンダリセルに設定される。
【０１０９】
以後、動作の説明のために図４のキャリア・アグリゲーション状態（セル構成）である移動局装置１と基地局装置２の制御手順について説明するが、実際の移動局装置１と基地局装置２のキャリア・アグリゲーション状態（セル構成）が図４のセル構成に限定されるわけではない。
【０１１０】
図３に戻り、基地局装置２は、現在プライマリセルとして動作しているセル（ソースプライマリセル）の変更が必要であると判断したときに、移動局装置１に対してプライマリセル変更を指示するメッセージ（プライマリセル変更指示メッセージ）を送信する（ステップＳ１０１）。基地局装置２は、移動局装置１のプライマリセル（ソースプライマリセル）を変更する際に、移動局装置１からの測定結果の報告（Ｍｅａｓｕｒｅｍｅｎｔ  Ｒｅｐｏｒｔ）、各周波数の負荷状況、ＭＢＭＳ受信の有無を考慮してもよい。なお、指示するとは、移動局装置１に設定されている無線制御に関する制御パラメータ（情報要素；Information elements）を再設定する（reconfiguration）ことを意味している。
【０１１１】
このとき、プライマリセル変更指示メッセージには、変更先で新規にプライマリセルとして動作するセル（ターゲットプライマリセル）を指定するセル情報（セルＩＤ、周波数ＩＤ、セルインデックスなど）、ターゲットプライマリセルで送信される報知情報（周波数帯域幅、共通無線リソース設定情報など）、ターゲットプライマリセルにアクセスするための物理チャネル設定情報やランダムアクセス設定情報などが設定される。
【０１１２】
基地局装置２は、ランダムアクセス設定情報の一つとして個別プリアンブルを移動局装置１に対して設定することによってNon-contention based Random Access手順を開始させてもよい、また、個別プリアンブルを移動局装置１に対して設定しないことによってNon-contention based Random Access手順を開始させてもよい。
【０１１３】
基地局装置２は、プライマリセル変更指示メッセージにセカンダリセルの設定変更情報を同時に含めることが可能である。セカンダリセルの設定変更情報とは、セカンダリセルの追加、削除、設定の変更（再設定）を指示する情報である。プライマリセル変更指示メッセージを受信した移動局装置１は、設定されているセカンダリセルを全て不活性化状態に変更する。このとき、セカンダリセルの設定変更情報によってセカンダリセルの削除が指示されている場合、移動局装置１は、指示された当該セカンダリセルを削除した後、残りのセカンダリセルを全て不活性化状態に変更する（ステップＳ１０２）。換言すれば、移動局装置１と基地局装置２は、ステップＳ１０２において、プライマリセル以外の在圏セルを全て不活性化状態に変更する。
【０１１４】
続いて、移動局装置１はターゲットプライマリセルと現在のキャリア・アグリゲーション状態とを比較するプライマリセル再設定事前処理（ステップＳ１０３）を行うことによって、必要な制御内容（処理）を判断する。
【０１１５】
そして、移動局装置１はステップＳ１０３で判断した制御内容（処理）に応じて、続くステップＳ１０４〜ステップＳ１０６のうち、必要な制御内容を選択し、その処理を実施する。ステップＳ１０４〜ステップＳ１０６の処理は図３に示す順番ではなく、任意の順番でも構わない。さらに、ステップＳ１０２は、ステップＳ１０３からステップＳ１０６の直後に実施されても構わない。
【０１１６】
移動局装置１は、ステップＳ１０４で、ソースプライマリセルの送信タイミンググループ（ソースプライマリセルグループ、第１のグループとも称する）と、ターゲットプライマリセルの送信タイミンググループ（ターゲットプライマリセルグループ、第２のグループとも称する）における参照セルの再設定（リコンフィギュレーション；reconfiguration）処理を必要に応じてそれぞれ行う。
【０１１７】
また、移動局装置１は、ステップＳ１０５で、ソースプライマリセルの送信タイミンググループ（ソースプライマリセルグループ）と、ターゲットプライマリセルの送信タイミンググループ（ターゲットプライマリセルグループ）におけるセルグループの再設定処理を行う。
【０１１８】
また、移動局装置１は、ステップＳ１０６で、ソースプライマリセルの送信タイミンググループ（ソースプライマリセルグループ）と、ターゲットプライマリセルの送信タイミンググループ（ターゲットプライマリセルグループ）における送信タイミングタイマーの再設定処理を行う。
【０１１９】
図５は、ステップＳ１０３におけるプライマリセル再設定事前処理の処理フローの詳細を示すフローチャート図である。移動局装置１は、ステップＳ２０１で新規に指定されたターゲットプライマリセルがどのセルであるのかをプライマリセル変更指示メッセージのセル情報（セルＩＤ、周波数ＩＤなど）から判断する。
【０１２０】
移動局装置１は、ステップＳ２０１において、プライマリセル変更指示メッセージで指定されたターゲットプライマリセルが、移動局装置１に設定されている送信タイミンググループのどこに属するセルであるかを確認する。このとき、移動局装置１は、ターゲットプライマリセルが属する送信タイミンググループを、（１）既存のプライマリセルグループ（ソースプライマリセルグループ）、（２）既存のセカンダリセルグループ、（３）新規の送信タイミンググループ、のどれに分類されるかを確認する。そして、ステップＳ２０２において、ステップＳ２０１で分類した送信タイミンググループに基づいて、必要な制御手順について判断する。
【０１２１】
ターゲットプライマリセルが属する送信タイミンググループが（１）既存のプライマリセルグループである場合、移動局装置１は、セルグループ未変更時再設定処理（ステップＳ２０３）が必要であると判断する。また、ターゲットプライマリセルが属する送信タイミンググループが（２）既存のセカンダリセルグループである場合、移動局装置１は、ステップＳ２０４において、ターゲットプライマリセルが当該セカンダリセルグループにおけるタイミング参照セルであるかどうかの判定を行う。
【０１２２】
ターゲットプライマリセルが当該セカンダリセルグループにおけるタイミング参照セルであった場合、移動局装置１は、タイミング参照セル変更時再設定処理（ステップＳ２０５）が必要であると判断する。一方、ターゲットプライマリセルが当該セカンダリセルグループにおけるタイミング参照セルではない場合、移動局装置１は、タイミング参照セル未変更時再設定処理（ステップＳ２０６）が必要であると判断する。
【０１２３】
ターゲットプライマリセルが属する送信タイミンググループが（３）新規の送信タイミンググループである場合、移動局装置１は、新規セルグループ再設定処理（ステップＳ２０７）が必要であると判断する。そして、必要なこれらの再設定処理を判断した後に、プライマリセル再設定事前処理を完了する。
【０１２４】
図６は、図４に示したセル構成の移動局装置１および基地局装置２のプライマリセルが変更（再設定）される場合に、変更後のプライマリセル（ターゲットプライマリセル）の送信タイミンググループに基づいて必要な再設定処理が異なることを説明するための図である。
【０１２５】
第１のケース（図６（ａ））は、ターゲットプライマリセルが、変更前におけるプライマリ送信タイミンググループのセル（図４のセカンダリセルＳＣ１）の場合であり、セルグループ未変更時再設定処理（図５のステップＳ２０３）が適用される。なお、このときのターゲットプライマリセルは、セカンダリセルに限らず未設定のセルであっても良い。
【０１２６】
このとき、移動局装置１および基地局装置２は、セルグループ未変更時再設定処理（図５のステップＳ２０３）として、参照セル再設定（図３のステップＳ１０４）と、送信タイミングタイマー再設定（図３のステップＳ１０６）と、が必要であると判断する。
【０１２７】
第２のケース（図６（ｂ））は、ターゲットプライマリセルが、変更前におけるセカンダリ送信タイミンググループのタイミング参照セル（図４のセカンダリセルＳＣ２）の場合であり、タイミング参照セル変更時再設定処理（図５のステップＳ２０５）が適用される。なお、このときのターゲットプライマリセルは、セカンダリセルに限らず未設定のセルであっても良い。
【０１２８】
このとき、移動局装置１および基地局装置２は、タイミング参照セル変更時再設定処理（図５のステップＳ２０５）として、参照セル再設定（図３のステップＳ１０４）と、セルグループ再設定（図３のステップＳ１０５）と、送信タイミングタイマー再設定（図３のステップＳ１０６）と、が必要であると判断する。
【０１２９】
第３のケース（図６（ｃ））は、ターゲットプライマリセルが、変更前におけるセカンダリ送信タイミンググループのタイミング参照セル以外のセル（図４のセカンダリセルＳＣ３）の場合であり、タイミング参照セル未変更時再設定処理（図５のステップＳ２０６）が適用される。なお、このときのターゲットプライマリセルは、セカンダリセルに限らず未設定のセルであっても良い。
【０１３０】
このとき、移動局装置１および基地局装置２は、タイミング参照セル未変更時再設定処理（図５のステップＳ２０６）として、参照セル再設定（図３のステップＳ１０４）と、セルグループ再設定（図３のステップＳ１０５）と、送信タイミングタイマー再設定（図３のステップＳ１０６）と、が必要であると判断する。
【０１３１】
第４のケース（図６（ｄ））は、ターゲットプライマリセルが、変更前における新規のセカンダリ送信タイミンググループを構成するセル（図４の周辺セルＮＣ１）の場合であり、新規セルグループ再設定処理（図５のステップＳ２０７）が適用される。
【０１３２】
このとき、移動局装置１および基地局装置２は、新規セルグループ再設定処理（図５のステップＳ２０７）として、参照セル再設定（図３のステップＳ１０４）と、セルグループ再設定（図３のステップＳ１０５）と、送信タイミングタイマー再設定（図３のステップＳ１０６）と、が必要であると判断する。
【０１３３】
図７は、各ケースにおける参照セル再設定の処理フローについて示したフローチャート図である。以下に、上述した第１のケースから第４のケースにおける参照セル再設定の方法についてそれぞれ説明する。
【０１３４】
第１のケースの参照セル再設定方法について以下に説明する。
【０１３５】
第１のケースにおいて、移動局装置１および基地局装置２は、ソースプライマリセルグループ参照セル再設定を実施する（ステップＳ３０１）。具体例として、第１のケースにおいて、移動局装置１および基地局装置２は、変更前におけるプライマリ送信タイミンググループ（送信タイミンググループ１）を構成しているセカンダリセルに対し、タイミング参照セルの設定をリリースする。設定をリリースするとは、移動局装置１が現在の設定をリセットし、未設定の状態（not configured状態、デフォルト状態）に戻すこと、または、移動局装置１の上位レイヤ（ＲＲＣレイヤ）が現在の設定を保持しているが、該設定を下位レイヤに対して適用しないことの意味を含む。
【０１３６】
さらに、移動局装置１および基地局装置２は、変更前におけるプライマリ送信タイミンググループ（送信タイミンググループ１）を構成しているセカンダリセルに関し、セカンダリセルのパスロス参照セルがプライマリセルであった場合、当該セカンダリセルのパスロス参照セルの設定をリリースする。ソースプライマリセルグループ参照セル再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したソースプライマリセルグループ参照セル再設定を実施したとみなすことにより、プライマリセル変更指示メッセージに必要な制御パラメータを削減することが可能となる。
【０１３７】
また、第１のケースにおいて、移動局装置１および基地局装置２は、ターゲットプライマリセルグループ参照セル再設定を実施する（ステップＳ３０２）。具体例として、第１のケースにおいて、移動局装置１および基地局装置２は、変更後におけるプライマリ送信タイミンググループ（送信タイミンググループ１）を構成しているセカンダリセルに対し、タイミング参照セルの設定をターゲットプライマリセルが参照先になるように再設定する。
【０１３８】
タイミング参照セルをターゲットプライマリセルに再設定するタイミングは、移動局装置１がターゲットプライマリセルグループ参照セル再設定（ステップＳ３０２）を実施するタイミング以外に、移動局装置１がプライマリセル再設定事前処理を実施したときでもよいし、プライマリセルランダムアクセス手順によるランダムアクセス手順が成功したと判断したときでもよい。
【０１３９】
さらに、移動局装置１および基地局装置２は、変更後におけるプライマリ送信タイミンググループ（送信タイミンググループ１）を構成しているセカンダリセルに関し、セカンダリセルのパスロス参照セルがプライマリセルであった場合、ターゲットプライマリセルが参照先になるように当該セカンダリセルのパスロス参照セルを再設定する。なお、セカンダリセルのパスロス参照セルが当該セカンダリセルに設定されている場合、当該セカンダリセルのパスロス参照セルの再設定は不要である。
【０１４０】
パスロス参照セルをターゲットプライマリセルに再設定するタイミングは、移動局装置１がターゲットプライマリセルグループ参照セル再設定（ステップＳ３０２）を実施するタイミング以外に、移動局装置１がプライマリセル再設定事前処理を実施したときでもよいし、プライマリセルランダムアクセス手順によるランダムアクセス手順が成功したと判断したときでもよい。ターゲットプライマリセルグループ参照セル再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したターゲットプライマリセルグループ参照セル再設定を実施したとみなすことにより、プライマリセル変更指示メッセージに必要な制御パラメータを削減することが可能となる。
【０１４１】
第１のケースにおいて、移動局装置１および基地局装置２は、セカンダリ送信タイミンググループのセカンダリセルに対し、タイミング参照セルおよびパスロス参照セルの再設定は行わない。
【０１４２】
第２のケースの参照セル再設定方法について以下に説明する。
【０１４３】
第２のケースにおいて、移動局装置１および基地局装置２は、ソースプライマリセルグループ参照セル再設定を実施する（ステップＳ３０１）。具体例として、第２のケースにおいて、移動局装置１および基地局装置２は、変更前におけるプライマリ送信タイミンググループ（送信タイミンググループ１）を構成しているセカンダリセルに対し、タイミング参照セルの設定をリリースする。
【０１４４】
さらに、移動局装置１および基地局装置２は、変更前におけるプライマリ送信タイミンググループ（送信タイミンググループ１）を構成しているセカンダリセルに関し、パスロス参照セルがプライマリセルであった場合、当該設定をリリースする。または、移動局装置１および基地局装置２は、変更前におけるプライマリ送信タイミンググループ（送信タイミンググループ１）を構成しているセカンダリセルに関し、セカンダリセルのパスロス参照セルがプライマリセルであった場合、当該セカンダリセルをリリースする。移動局装置１は、上述した再設定の処理に基づき、設定のリリースまたはセカンダリセルのリリースを行った場合、リリースしたことを基地局装置２へ通知してもよい。
【０１４５】
ソースプライマリセルグループ参照セル再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したソースプライマリセルグループ参照セル再設定を実施したとみなすことにより、プライマリセル変更指示メッセージに必要な制御パラメータを削減することが可能となる。
【０１４６】
また、第２のケースにおいて、移動局装置１および基地局装置２は、ターゲットプライマリセルグループ参照セル再設定を実施する（ステップＳ３０２）。具体例として、第２のケースにおいて、移動局装置１および基地局装置２は、変更後におけるプライマリ送信タイミンググループ（送信タイミンググループ２）を構成しているセカンダリセルに対し、タイミング参照セルの設定をターゲットプライマリセルが参照先になるように再設定する。すなわち、変更後におけるプライマリ送信タイミンググループ（送信タイミンググループ２）を構成しているセカンダリセルのタイミング参照セルの設定を一旦リリースした後、タイミング参照セルの設定をターゲットプライマリセルが参照先になるように再設定する。
【０１４７】
タイミング参照セルをターゲットプライマリセルに再設定するタイミングは、移動局装置１がターゲットプライマリセルグループ参照セル再設定（ステップＳ３０２）を実施するタイミング以外に、移動局装置１がプライマリセル再設定事前処理を実施したときでもよいし、プライマリセルランダムアクセス手順によるランダムアクセス手順が成功したと判断したときでもよい。
【０１４８】
あるいは、移動局装置１および基地局装置２は、第２のケースにおいてターゲットプライマリセルがセカンダリ送信タイミンググループのタイミング参照セルであることを利用し、変更後におけるプライマリ送信タイミンググループ（送信タイミンググループ２）を構成しているセカンダリセルのタイミング参照セルの再設定をスキップしてもよい。
【０１４９】
移動局装置１および基地局装置２は、変更後におけるプライマリ送信タイミンググループ（送信タイミンググループ２）を構成しているセカンダリセルに関し、セカンダリセルのパスロス参照セルが当該セカンダリセルに設定されているため、パスロス参照セルの再設定は不要である。ターゲットプライマリセルグループ参照セル再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したターゲットプライマリセルグループ参照セル再設定を実施したとみなすことにより、プライマリセル変更指示メッセージに必要な制御パラメータを削減することが可能となる。
【０１５０】
ただし、基地局装置２は、プライマリセル変更指示メッセージで明示的に再設定に必要なパラメータを通知することによって、変更後におけるプライマリ送信タイミンググループ（送信タイミンググループ２）を構成しているセカンダリセルのパスロス参照セルをセカンダリセルからプライマリセル（すなわち、ターゲットプライマリセル）に再設定することも可能である。この場合、移動局装置１は、基地局装置２の指示に基づいてセカンダリセルのパスロス参照セルの再設定を行う。
【０１５１】
第２のケースにおいて２つ以上のセカンダリ送信タイミンググループが設定されている場合、移動局装置１および基地局装置２は、上述した再設定の対象外であるセカンダリ送信タイミンググループのセカンダリセルに対し、タイミング参照セルおよびパスロス参照セルの再設定は行わない。
【０１５２】
第３のケースの参照セル再設定方法について以下に説明する。
【０１５３】
第３のケースにおいて、移動局装置１および基地局装置２は、ソースプライマリセルグループ参照セル再設定を実施する（ステップＳ３０１）。ソースプライマリセルグループ参照セル再設定で実施される具体的な処理の内容は、第２のケースと同じであるため詳細な説明を略す。
【０１５４】
また、第３のケースにおいて、移動局装置１および基地局装置２は、ターゲットプライマリセルグループ参照セル再設定を実施する（ステップＳ３０２）。具体例として、第３のケースにおいて、移動局装置１および基地局装置２は、変更後におけるプライマリ送信タイミンググループ（送信タイミンググループ２）を構成しているセカンダリセルに対し、タイミング参照セルの設定をターゲットプライマリセルが参照先になるように再設定する。すなわち、変更後におけるプライマリ送信タイミンググループ（送信タイミンググループ２）を構成しているセカンダリセルのタイミング参照セルの設定を一旦リリースした後、タイミング参照セルの設定をターゲットプライマリセルが参照先になるように再設定する。
【０１５５】
タイミング参照セルをターゲットプライマリセルに再設定するタイミングは、移動局装置１がターゲットプライマリセルグループ参照セル再設定（ステップＳ３０２）を実施するタイミング以外に、移動局装置１がプライマリセル再設定事前処理を実施したときでもよいし、プライマリセルランダムアクセス手順によるランダムアクセス手順が成功したと判断したときでもよい。
【０１５６】
移動局装置１および基地局装置２は、変更後におけるプライマリ送信タイミンググループ（送信タイミンググループ２）を構成しているセカンダリセルに関し、セカンダリセルのパスロス参照セルが当該セカンダリセルに設定されているため、パスロス参照セルの再設定は不要である。ターゲットプライマリセルグループ参照セル再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したターゲットプライマリセルグループ参照セル再設定を実施したとみなすことにより、プライマリセル変更指示メッセージに必要な制御パラメータを削減することが可能となる。
【０１５７】
ただし、基地局装置２は、プライマリセル変更指示メッセージで明示的に再設定に必要なパラメータを通知することによって、変更後におけるプライマリ送信タイミンググループ（送信タイミンググループ２）を構成しているセカンダリセルのパスロス参照セルをセカンダリセルからプライマリセル（すなわち、ターゲットプライマリセル）に再設定することも可能である。この場合、移動局装置１は、基地局装置２の指示に基づいてセカンダリセルのパスロス参照セルの再設定を行う。
【０１５８】
第３のケースにおいて２つ以上のセカンダリ送信タイミンググループが設定されている場合、移動局装置１および基地局装置２は、上述した再設定の対象外であるセカンダリ送信タイミンググループのセカンダリセルに対し、タイミング参照セルおよびパスロス参照セルの再設定は行わない。
【０１５９】
第４のケースの参照セル再設定方法について以下に説明する。
【０１６０】
第４のケースにおいて、移動局装置１および基地局装置２は、ソースプライマリセルグループ参照セル再設定を実施する（ステップＳ３０１）。ソースプライマリセルグループ参照セル再設定で実施される具体的な処理の内容は、第２のケースと同じであるため詳細な説明を略す。
【０１６１】
また、第４のケースにおいて、移動局装置１および基地局装置２は、変更後におけるプライマリ送信タイミンググループ（送信タイミンググループ３）を構成しているセカンダリセルは、常に新規に追加されるセルであることから、ターゲットプライマリセルグループ参照セル再設定（ステップＳ３０２）は不要である。すなわち、変更後におけるプライマリ送信タイミンググループ（送信タイミンググループ３）を構成しているセカンダリセルに対し、タイミング参照セルおよびパスロス参照セルの再設定は不要である。
【０１６２】
第４のケースにおいて、移動局装置１および基地局装置２は、セカンダリ送信タイミンググループのセカンダリセルに対し、タイミング参照セルおよびパスロス参照セルの再設定は行わない。
【０１６３】
図８は、各ケースにおけるセルグループ再設定の処理フローについて示したフローチャート図である。以下に、上述した第２のケースから第４のケースにおけるセルグループ再設定の方法についてそれぞれ説明する。なお、第１のケースではプライマリセルの変更に伴うセルグループの変更が発生しないため、移動局装置１および基地局装置２はセルグループ再設定を行う必要はない。
【０１６４】
第２のケースのセルグループ再設定方法について以下に説明する。
【０１６５】
第２のケースにおいて、移動局装置１および基地局装置２は、ソースプライマリセルグループ再設定を実施する（ステップＳ４０１）。具体例として、第２のケースにおいて、移動局装置１および基地局装置２は、変更前におけるプライマリ送信タイミンググループ（送信タイミンググループ１）に設定されている、送信タイミンググループ識別子（ＴＡＧ１）を再設定する。
【０１６６】
また、第２のケースにおいて、移動局装置１および基地局装置２は、ターゲットプライマリセルグループ再設定を実施する（ステップＳ４０２）。具体例として、第２のケースにおいて、移動局装置１および基地局装置２は、変更後におけるプライマリ送信タイミンググループ（送信タイミンググループ２）に設定されている、送信タイミンググループ識別子（ＴＡＧ２）を再設定する。
【０１６７】
移動局装置１および基地局装置２が行うソースプライマリセルグループ再設定とターゲットプライマリセルグループ再設定の方法として、（Ａ）変更前のプライマリ送信タイミンググループの送信タイミンググループ識別子と変更後のプライマリ送信タイミンググループの送信タイミンググループ識別子とを入れ替える、（Ｂ）基地局装置２から通知された送信タイミンググループ識別子を新たに設定する、（Ｃ）送信タイミンググループに属する在圏セルのうち最も小さいセルインデックスの値を送信タイミンググループ識別子として設定する、方法が考えられる。
【０１６８】
移動局装置１は、基地局装置２からの指示に基づいて（Ａ）〜（Ｃ）の方法を切り替えて使用してもよい。例えば、移動局装置１は基地局装置２からの指示がない場合は方法（Ａ）または方法（Ｃ）を適用し、指示があった場合は方法（Ｂ）を適用してもよい。また、例えば、移動局装置１は方法（Ａ）または方法（Ｃ）を適用した後、基地局装置２から指示があった場合に更に方法（Ｂ）を適用してもよい。
【０１６９】
方法（Ａ）の場合、移動局装置１および基地局装置２は、変更前のプライマリ送信タイミンググループの送信タイミンググループ識別子と変更後のプライマリ送信タイミンググループの送信タイミンググループ識別子とを入れ替える。例えば、変更前のプライマリ送信タイミンググループ（送信タイミンググループ１）が送信タイミンググループ識別子（ＴＡＧ１）であり、変更後のプライマリ送信タイミンググループ（送信タイミンググループ２）が送信タイミンググループ識別子（ＴＡＧ２）であった場合、送信タイミンググループ１の送信タイミンググループ識別子はＴＡＧ１からＴＡＧ２に再設定され、送信タイミンググループ２の送信タイミンググループ識別子はＴＡＧ２からＴＡＧ１に再設定される。
【０１７０】
セルグループ再設定方法の方法（Ａ）は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したセルグループ再設定の方法（Ａ）を実施したとみなすことにより、プライマリセル変更指示メッセージに必要な制御パラメータを削減することが可能となる。
【０１７１】
方法（Ｂ）の場合、基地局装置２は、変更前のプライマリ送信タイミンググループ、変更後のプライマリ送信タイミンググループ、または変更前のプライマリ送信タイミンググループと変更後のプライマリ送信タイミンググループの両方、の送信タイミンググループ識別子を移動局装置１に対して通知する。移動局装置１は、変更前のプライマリ送信タイミンググループの送信タイミンググループ識別子が通知された場合、変更前のプライマリ送信タイミンググループの送信タイミンググループ識別子を再設定し、変更後のプライマリ送信タイミンググループの送信タイミンググループ識別子が通知された場合、変更後のプライマリ送信タイミンググループの送信タイミンググループ識別子を再設定する。
【０１７２】
例えば、変更前のプライマリ送信タイミンググループ（送信タイミンググループ１）の送信タイミンググループ識別子（ＴＡＧ１）に対し、新規の送信タイミンググループ識別子（ＴＡＧ３）が通知された場合、送信タイミンググループ１の送信タイミンググループ識別子はＴＡＧ１からＴＡＧ３に再設定される。同様に、変更後のプライマリ送信タイミンググループ（送信タイミンググループ２）の送信タイミンググループ識別子（ＴＡＧ２）に対し、新規の送信タイミンググループ識別子（ＴＡＧ４）が通知された場合、送信タイミンググループ２の送信タイミンググループ識別子はＴＡＧ２からＴＡＧ４に再設定される。
【０１７３】
移動局装置１は、基地局装置２から新規の送信タイミンググループ識別子が通知された送信タイミンググループに対してのみ上述したセルグループ再設定（変更）を実施し、基地局装置２から新規の送信タイミンググループ識別子が通知されなかった送信タイミンググループに対しては送信タイミンググループ識別子の再設定（変更）を行わずに今の送信タイミンググループ識別子をそのまま引き継いで使用してもよい。あるいは、移動局装置１および基地局装置２は、プライマリセルの変更に伴う送信タイミンググループ識別子の再設定（変更）が実施されてないとして、今の設定を必ず引き継いで使用するとみなしてもよい。
【０１７４】
方法（Ｃ）の場合、移動局装置１および基地局装置２は、送信タイミンググループに属する在圏セルのうち最も小さいセルインデックスの値を送信タイミンググループ識別子として設定する。在圏セルは不活性化状態であってもよい。例えば、変更前のプライマリ送信タイミンググループ（送信タイミンググループ１）を構成している在圏セルが、プライマリセル（セルインデックス値：０）、セカンダリセル１（セルインデックス値：２）、セカンダリセル２（セルインデックス値：３）であり、変更後のプライマリ送信タイミンググループ（送信タイミンググループ２）を構成している在圏セルが、セカンダリセル３（セルインデックス値：１）、セカンダリセル４（セルインデックス値：６）であるセル構成を考える。
【０１７５】
また、送信タイミンググループ１の送信タイミンググループ識別子はＴＡＧ０（ゼロ）、送信タイミンググループ２の送信タイミンググループ識別子はＴＡＧ１に設定されているとする。このとき、プライマリセルが変更され、ターゲットプライマリセルがセカンダリセル４であった場合、送信タイミンググループ１において最も小さいセルインデックスの値を持つ在圏セルはセカンダリセル１（セルインデックス値：２）となるため、送信タイミンググループ１の送信タイミンググループ識別子はＴＡＧ０からＴＡＧ２に再設定される。一方、変更後のプライマリ送信タイミンググループ（送信タイミンググループ２）を構成している在圏セルで最も小さいセルインデックスの値を持つ在圏セルはプライマリセル（セルインデックス値：０）となるため、送信タイミンググループ２の送信タイミンググループ識別子はＴＡＧ１からＴＡＧ０に再設定される。
【０１７６】
セルグループ再設定方法の方法（Ｃ）は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したセルグループ再設定の方法（Ｃ）を実施したとみなすことにより、プライマリセル変更指示メッセージに必要な制御パラメータを削減することが可能となる。なお、このとき用いるセルインデックスの値は、送信タイミンググループに属する在圏セルのうち最大のセルインデックスの値であってもよい。
【０１７７】
第３のケースのセルグループ再設定方法について以下に説明する。
【０１７８】
第３のケースにおいて、移動局装置１および基地局装置２は、ソースプライマリセルグループ再設定（ステップＳ４０１）と、ターゲットプライマリセルグループ再設定（ステップＳ４０２）とをそれぞれ実施する。ソースプライマリセルグループ再設定およびターゲットプライマリセルグループ再設定で実施される具体的な処理の内容は、第２のケースと同じであるため詳細な説明を略す。
【０１７９】
第４のケースのセルグループ再設定方法について以下に説明する。
【０１８０】
第４のケースにおいて、移動局装置１および基地局装置２は、ソースプライマリセルグループ再設定を実施する（ステップＳ４０１）。具体例として、第４のケースにおいて、移動局装置１および基地局装置２は、変更前におけるプライマリ送信タイミンググループ（送信タイミンググループ１）に設定されている、送信タイミンググループ識別子（ＴＡＧ１）を再設定する。
【０１８１】
また、第４のケースにおいて、移動局装置１および基地局装置２は、ターゲットプライマリセルグループ再設定を実施する（ステップＳ４０２）。具体例として、第４のケースにおいて、移動局装置１および基地局装置２は、変更後におけるプライマリ送信タイミンググループ（送信タイミンググループ３）に対して新規の送信タイミンググループ識別子を再設定する。
【０１８２】
ソースプライマリセルグループ再設定とターゲットプライマリセルグループ再設定の方法として、（Ａ）変更前のプライマリ送信タイミンググループの送信タイミンググループ識別子と変更後のプライマリ送信タイミンググループの送信タイミンググループ識別子とを入れ替える、（Ｂ）基地局装置２から通知された送信タイミンググループ識別子を新たに設定する、（Ｃ）送信タイミンググループに属する在圏セルのうち最も小さいセルインデックスの値を送信タイミンググループ識別子として設定する、方法が考えられる。
【０１８３】
移動局装置１は、基地局装置２からの指示に基づいて（Ａ）〜（Ｃ）の方法を切り替えて使用してもよい。例えば、移動局装置１は基地局装置２からの指示がない場合は方法（Ａ）または方法（Ｃ）を適用し、指示があった場合は方法（Ｂ）を適用してもよい。また、例えば、移動局装置１は方法（Ａ）または方法（Ｃ）を適用した後、基地局装置２から指示があった場合に更に方法（Ｂ）を適用してもよい。
【０１８４】
方法（Ａ）の場合、変更前のプライマリ送信タイミンググループの送信タイミンググループ識別子の再設定が第２のケースと異なる。例えば、変更前のプライマリ送信タイミンググループ（送信タイミンググループ１）が送信タイミンググループ識別子（ＴＡＧ１）であった場合、変更後のプライマリ送信タイミンググループ（送信タイミンググループ３）の送信タイミンググループ識別子はＴＡＧ１に再設定される。一方、送信タイミンググループ３は新規に設定される送信タイミンググループであるため、変更前の送信タイミンググループ識別子を持たない。
【０１８５】
そのため、第４のケースにおいて、移動局装置１および基地局装置２は、以下のいずれかの方法を用いて送信タイミンググループ１の送信タイミンググループ識別子（ＴＡＧ１）の再設定を行う。変更前のプライマリ送信タイミンググループの送信タイミンググループ識別子の再設定の方法として、（Ａ１）未使用の送信タイミンググループ識別子のうち番号が最も小さい値を選択して再設定する、（Ａ２）当該送信タイミンググループの送信タイミンググループ識別子の設定をリリースする、方法が考えられる。
【０１８６】
方法（Ａ１）の場合、移動局装置１および基地局装置２は、変更前のプライマリ送信タイミンググループの送信タイミンググループ識別子に対し、未使用の送信タイミンググループ識別子のうち番号が最も小さい値を選択して再設定する。例えば、送信タイミンググループ識別子（ＴＡＧ−ＩＤ）として、０、１、３が使用されていた場合（すなわち、移動局装置１に対して３つの異なる送信タイミンググループ（ＴＡＧ０、ＴＡＧ１、ＴＡＧ３）が設定されている）、変更前のプライマリ送信タイミンググループ（送信タイミンググループ１）に再設定される送信タイミンググループ識別子はＴＡＧ２となる。
【０１８７】
セルグループ再設定方法の方法（Ａ１）は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したセルグループ再設定の方法（Ａ１）を実施したとみなすことにより、プライマリセル変更指示メッセージに必要な制御パラメータを削減することが可能となる。なお、このとき用いる送信タイミンググループ識別子の値は、未使用の最大の送信タイミンググループ識別子のうち番号が最も大きい値であってもよい。
【０１８８】
方法（Ａ２）の場合、移動局装置１および基地局装置２は、変更前のプライマリ送信タイミンググループの送信タイミンググループ識別子に対し、当該送信タイミンググループの送信タイミンググループ識別子の設定をリリースする。例えば、変更前のプライマリ送信タイミンググループ（送信タイミンググループ１）の送信タイミンググループ識別子は未設定となる。または、変更前のプライマリ送信タイミンググループ（送信タイミンググループ１）の送信タイミンググループ識別子はデフォルト値である。移動局装置１および基地局装置２は、デフォルト値として、送信タイミンググループ識別子が未設定を意味する特別な値（例えばＴＡＧ８）が再設定されるとみなしてもよい。
【０１８９】
セルグループ再設定方法の方法（Ａ２）は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したセルグループ再設定の方法（Ａ２）を実施したとみなすことにより、プライマリセル変更指示メッセージに必要な制御パラメータを削減することが可能となる。
【０１９０】
方法（Ｂ）の場合、具体的な処理の内容は、第２のケースのセルグループ再設定方法で示したセルグループ再設定方法の方法（Ｂ）と同じであるため詳細な説明を略す。
【０１９１】
方法（Ｃ）の場合、具体的な処理の内容は、第２のケースのセルグループ再設定方法で示したセルグループ再設定方法の方法（Ｃ）と同じであるため詳細な説明を略す。
【０１９２】
図９は、各ケースにおける送信タイミングタイマー再設定の処理フローについて示したフローチャート図である。以下に、上述した第１のケースから第４のケースにおけるセルグループ再設定の方法についてそれぞれ説明する。
【０１９３】
第１のケースの送信タイミングタイマー再設定方法について以下に説明する。
【０１９４】
第１のケースにおいて、移動局装置１および基地局装置２は、ソースプライマリセルグループ送信タイミングタイマー再設定を実施する（ステップＳ５０１）。具体例として、第１のケースにおいて、移動局装置１および基地局装置２は、変更前におけるプライマリ送信タイミンググループ（送信タイミンググループ１）に設定されている、送信タイミングタイマー（送信タイミングタイマー１、ＴＡＴ１）を再設定する。
【０１９５】
移動局装置１および基地局装置２は、変更前におけるプライマリ送信タイミンググループ（送信タイミンググループ１）の送信タイミングタイマー（送信タイミングタイマー１、ＴＡＴ１）を停止、または、送信タイミングタイマー（送信タイミングタイマー１、ＴＡＴ１）の設定をリリースする。送信タイミングタイマーを停止するとは、移動局装置１の上位レイヤ（ＲＲＣレイヤ）が現在の設定を保持しているが、送信タイミングタイマーが現在の値のまま計時されないこと、または、送信タイミングタイマーをリセットし、計時を開始する前の状態に戻すことの意味を含む。
【０１９６】
変更前におけるプライマリ送信タイミンググループの送信タイミングタイマーを再設定するタイミングは、移動局装置１がソースプライマリセルグループ送信タイミングタイマー再設定（ステップＳ５０１）を実施するタイミング以外に、移動局装置１がプライマリセル再設定事前処理を実施したときでもよいし、プライマリセルランダムアクセス手順によるランダムアクセス手順が成功したと判断したときでもよい。
ソースプライマリセルグループ送信タイミングタイマー再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したソースプライマリセルグループ送信タイミングタイマー再設定を実施したとみなすことにより、プライマリセル変更指示メッセージに必要な制御パラメータを削減することが可能となる。
【０１９７】
なお、第１のケースではプライマリセルの変更に伴うセルグループの変更が発生しないため、移動局装置１および基地局装置２は、ターゲットプライマリセルグループ送信タイミングタイマー再設定（ステップＳ５０２）を実施する必要はない。また、第１のケースにおいて、移動局装置１および基地局装置２は、セカンダリ送信タイミンググループのセカンダリセルに対し、送信タイミングタイマーの再設定は行わない。
【０１９８】
第２のケースの送信タイミングタイマー再設定方法について以下に説明する。
【０１９９】
第２のケースにおいて、移動局装置１および基地局装置２は、ソースプライマリセルグループ送信タイミングタイマー再設定を実施する（ステップＳ５０１）。ソースプライマリセルグループ送信タイミングタイマー再設定で実施される具体的な処理の内容は、第１のケースと同じであるため詳細な説明を略す。
【０２００】
また、第２のケースにおいて、移動局装置１および基地局装置２は、ターゲットプライマリセルグループ送信タイミングタイマー再設定を実施する（ステップＳ５０２）。具体例として、第２のケースにおいて、移動局装置１および基地局装置２は、変更後におけるプライマリ送信タイミンググループ（送信タイミンググループ２）に設定されている、送信タイミングタイマー（送信タイミングタイマー２、ＴＡＴ２）を再設定する。
【０２０１】
移動局装置１および基地局装置２は、変更後におけるプライマリ送信タイミンググループ（送信タイミンググループ２）の送信タイミングタイマー（送信タイミングタイマー２、ＴＡＴ２）を停止、または、送信タイミングタイマー（送信タイミングタイマー２、ＴＡＴ２）の設定をリリースする。送信タイミングタイマーを停止するとは、移動局装置１の上位レイヤ（ＲＲＣレイヤ）が現在の設定を保持しているが、送信タイミングタイマーが現在の値のまま計時されないこと、または、送信タイミングタイマーをリセットし、計時を開始する前の状態に戻すことの意味を含む。
【０２０２】
変更後におけるプライマリ送信タイミンググループの送信タイミングタイマーを再設定するタイミングは、移動局装置１がターゲットプライマリセルグループ送信タイミングタイマー再設定（ステップＳ５０２）を実施するタイミング以外に、移動局装置１がプライマリセル再設定事前処理を実施したときでもよいし、プライマリセルランダムアクセス手順によるランダムアクセス手順が成功したと判断したときでもよい。
【０２０３】
ターゲットプライマリセルグループ送信タイミングタイマー再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したターゲットプライマリセルグループ送信タイミングタイマー再設定を実施したとみなすことにより、プライマリセル変更指示メッセージに必要な制御パラメータを削減することが可能となる。すなわち、基地局装置２は、プライマリセル変更指示メッセージに必要な制御パラメータを削減することが可能となる。
【０２０４】
第２のケースにおいて２つ以上のセカンダリ送信タイミンググループが設定されている場合、移動局装置１および基地局装置２は、上述した再設定の対象外であるセカンダリ送信タイミンググループのセカンダリセルに対し、送信タイミングタイマーの再設定は行わない。
【０２０５】
第３のケースの送信タイミングタイマー再設定方法について以下に説明する。
【０２０６】
第３のケースにおいて、移動局装置１および基地局装置２は、ソースプライマリセルグループ送信タイミングタイマー再設定（ステップＳ５０１）と、ターゲットプライマリセルグループ送信タイミングタイマー再設定（ステップＳ５０２）とをそれぞれ実施する。ソースプライマリセルグループ送信タイミングタイマー再設定で実施される具体的な処理の内容は、第１のケースと同じであるため詳細な説明を略す。また、ターゲットプライマリセルグループ送信タイミングタイマー再設定で実施される具体的な処理の内容は、第２のケースと同じであるため詳細な説明を略す。
【０２０７】
第３のケースにおいて２つ以上のセカンダリ送信タイミンググループが設定されている場合、移動局装置１および基地局装置２は、上述した再設定の対象外であるセカンダリ送信タイミンググループのセカンダリセルに対し、送信タイミングタイマーの再設定は行わない。
【０２０８】
第４のケースの送信タイミングタイマー再設定方法について以下に説明する。
【０２０９】
第４のケースにおいて、移動局装置１および基地局装置２は、ソースプライマリセルグループ送信タイミングタイマー再設定（ステップＳ５０１）を実施する。ソースプライマリセルグループ送信タイミングタイマー再設定で実施される具体的な処理の内容は、第１のケースと同じであるため詳細な説明を略す。
【０２１０】
また、第４のケースにおいて、移動局装置１および基地局装置２は、変更後におけるプライマリ送信タイミンググループ（送信タイミンググループ３）の送信タイミングタイマー（送信タイミングタイマー３、ＴＡＴ３とする）は常に新規に設定されるため、変更後におけるプライマリ送信タイミンググループ（送信タイミンググループ３）におけるターゲットプライマリセルグループ送信タイミングタイマー再設定（ステップＳ５０２）は不要である。
【０２１１】
また、第４のケースにおいて、移動局装置１および基地局装置２は、セカンダリ送信タイミンググループのセカンダリセルに対し、送信タイミングタイマーの再設定は行わない。
【０２１２】
図３に戻り、移動局装置１は、プライマリセルランダムアクセス手順（ステップＳ１０７）を実施する。プライマリセルランダム手順は、基地局装置２で指示されたターゲットプライマリセルにおいて、ランダムアクセス設定情報に従ってランダムアクセス手順を実行する。ランダムアクセス手順がContention based Random Access手順であれば、移動局装置１と基地局装置２は、図１６の手順を用いる。一方、ランダムアクセス手順がNon-contention based Random Access手順であれば、移動局装置１と基地局装置２は、図１７の手順を用いる。そして、プライマリセルランダムアクセス手順が正常に完了した移動局装置１は、基地局装置２に対してプライマリセル変更の指示が完了したことを報告するＲＲＣメッセージ（プライマリセル変更完了メッセージ）を送信する（ステップＳ１０８）。
【０２１３】
図３における各制御メッセージは、ＥＵＴＲＡで既存のＲＲＣメッセージを再利用しても良い。例えば、プライマリセル変更指示メッセージはＲＲＣ  Ｃｏｎｎｅｃｔｉｏｎ  Ｒｅｃｏｎｆｉｇｕｒａｔｉｏｎメッセージ、プライマリセル変更完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージにそれぞれ必要なパラメータを追加して再利用してもよい。
【０２１４】
このように、第１の実施形態によれば、移動局装置１と基地局装置２は、それぞれの上りリンク送信タイミングのグループ毎に効率的に上りリンク送信タイミングを制御することが可能となる。
【０２１５】
本実施形態の移動局装置１は、基地局装置２からプライマリセルの変更が指示された場合、ターゲットプライマリセルが属する送信タイミンググループに基づいて、変更前と変更後のプライマリ送信グループの在圏セルの参照セルを効率的に再設定することができる。また、ターゲットプライマリセルが属する送信タイミンググループに基づいて、変更前と変更前のプライマリ送信タイミンググループの送信タイミンググループ識別子を効率的に再設定することができる。また、ターゲットプライマリセルが属する送信タイミンググループに基づいて、変更前と変更後のプライマリ送信タイミンググループに関する送信タイミングタイマーを効率的に再設定することができる。
【０２１６】
このように、移動局装置１は、変更前と変更後のプライマリ送信タイミンググループにおける参照セル、送信タイミンググループ識別子、送信タイミングタイマーを効率的に再設定することが可能となり、制御が簡略化されると共に、無線リソースの利用効率が向上する。
【０２１７】
また、本実施形態の基地局装置２は、移動局装置１に対してプライマリセルの変更を指示する場合、ターゲットプライマリセルが属する送信タイミンググループに基づいて、変更前と変更後のプライマリ送信グループの在圏セルの参照セルを移動局装置１毎に効率的に再設定することができる。また、ターゲットプライマリセルが属する送信タイミンググループに基づいて、変更前と変更前のプライマリ送信タイミンググループの送信タイミンググループ識別子を効率的に再設定することができる。また、ターゲットプライマリセルが属する送信タイミンググループに基づいて、変更前と変更後のプライマリ送信タイミンググループに関する送信タイミングタイマーを効率的に再設定することができる。
【０２１８】
このように、基地局装置２は、変更前と変更後のプライマリ送信タイミンググループにおける参照セル、送信タイミンググループ識別子、送信タイミングタイマーを移動局装置１毎に効率的に再設定させることが可能となると共に、再設定に必要な制御パラメータを削減することが可能となり、無線リソースの利用効率が向上する。
【０２１９】
＜第２の実施形態＞
本発明の第２の実施形態について以下に説明する。第１の実施形態では、移動局装置１のプライマリセルを変更した場合について例示したが、第２の実施形態は、他のセルから送信タイミングの参照セルであるセカンダリセルが変更された場合における上りリンク送信制御方法について示す。本実施形態に用いる移動局装置１と基地局装置２の構成は、それぞれ図１と図２と同じ構成で良いため説明を省略する。また、本移動局装置１と本基地局装置２が配置される通信システムのネットワーク構成は、図１４に示したものと同様のものを適用できる。
【０２２０】
図１０は、本実施形態に係る移動局装置１と基地局装置２におけるプライマリセルの変更手順について説明するためのシーケンスチャート図である。本シーケンスチャート図の移動局装置１は、基地局装置２と少なくともプライマリセルと、プライマリセルと上りリンク送信タイミングが異なる一つ以上のセカンダリセルを介して接続されている状態（コネクティッド状態）から動作を開始する。
【０２２１】
図１０のシーケンスチャート開始時における移動局装置１と基地局装置２とのキャリア・アグリゲーション状態の一例として、図４に示したものと同じものを用いる。
【０２２２】
基地局装置２は、現在セカンダリセルとして動作しているセルの変更が必要であると判断したときに、移動局装置１に対してセカンダリセル変更を指示するメッセージ（セカンダリセル変更指示メッセージ）を送信する（ステップＳ６０１）。基地局装置２は、移動局装置１のセカンダリセルを変更する際に、移動局装置１からの測定結果の報告（Ｍｅａｓｕｒｅｍｅｎｔ  Ｒｅｐｏｒｔ）、各周波数の負荷状況、ＭＢＭＳ受信の有無を考慮してもよい。
【０２２３】
基地局装置２は、セカンダリセル変更指示メッセージにセカンダリセルの設定変更情報を含めて移動局装置１に送信する。セカンダリセルの設定変更情報とは、セカンダリセルの追加、削除、設定の変更（再設定）を指示する情報である。セカンダリセル変更指示メッセージを受信した移動局装置１は、設定変更の対象となるセカンダリセル（ターゲットセカンダリセル）と、必要な制御内容（処理）を判断するため、セカンダリセル再設定事前処理を実施する（ステップＳ６０２）。
【０２２４】
そして、移動局装置１はステップＳ６０２で判断した制御内容（処理）に応じて、続くステップＳ６０３とステップＳ６０４のうち、必要な制御内容を選択し、その処理を実施する。ステップＳ６０３とステップＳ６０４の処理は図１０に示す順番ではなく、任意の順番でも構わない。
【０２２５】
移動局装置１は、ステップＳ６０３で、ターゲットセカンダリセルが属する送信タイミンググループ（ターゲットセカンダリセルグループ）における参照セルの再設定（リコンフィギュレーション；reconfiguration）処理を必要に応じてそれぞれ行う。
【０２２６】
また、移動局装置１は、ステップＳ６０４で、ターゲットセカンダリセルが属する送信タイミンググループ（ターゲットセカンダリセルグループ）における送信タイミングタイマーの再設定処理を行う。
【０２２７】
図１１は、ステップＳ６０２におけるセカンダリセル再設定事前処理の処理フローの詳細を示すフローチャート図である。移動局装置１は、ステップＳ７０１で再設定が指示されたターゲットセカンダリセルがどのセルであるのかをセカンダリセル変更指示メッセージのセル情報（セルインデックスなど）から判断する。
【０２２８】
移動局装置１は、ステップＳ７０１において、セカンダリセル変更指示メッセージで指定されたターゲットセカンダリセルが、当該ターゲットセカンダリセルグループのタイミング参照セルであるか否か、および当該セカンダリセルの削除が指示されているか否かを確認する。そして、ステップＳ７０２において、ステップＳ７０１で確認したタイミング参照セルか否かの判断に基づいて、必要な制御手順について判断する。セカンダリセルの削除とは、移動局装置１と基地局装置２とが当該セカンダリセルに関する設定をリリースし、当該セカンダリセルを用いたキャリア・アグリゲーションを実施しない状態に設定を変更することを意味する。
【０２２９】
ターゲットセカンダリセルが当該ターゲットセカンダリセルグループのタイミング参照セルおよび当該セカンダリセルの削除が指示されている場合（例えば、図４のセカンダリセルＳＣ２の削除が指示されている場合）、移動局装置１は、タイミング参照セル変更時再設定処理（ステップＳ７０３）が必要であると判断する。一方、ターゲットセカンダリセルが属する当該ターゲットセカンダリセルグループのタイミング参照セルでない場合（例えば、図４のセカンダリセルＳＣ１、セカンダリセルＳＣ３の削除が指示されている場合）、または、ターゲットセカンダリセルが当該ターゲットセカンダリセルグループのタイミング参照セルであるが当該セカンダリセルの削除が指示されていない場合（例えば、図４のセカンダリセルＳＣ２の変更が指示されている場合など）、移動局装置１は、当該ターゲットセルの変更に伴う特別な制御は不要であると判断する。そして、必要なこれらの再設定処理を判断した後に、セカンダリセル再設定事前処理を完了する。
【０２３０】
このとき、移動局装置１および基地局装置２は、タイミング参照セル変更時再設定処理（ステップＳ７０３）として、参照セル再設定（ステップＳ６０３）と送信タイミングタイマー再設定（ステップＳ６０４）と、が必要であると判断する。
【０２３１】
図１２は、タイミング参照セル変更時再設定処理が必要な場合における参照セル再設定の処理フローについて示したフローチャート図である。
【０２３２】
移動局装置１および基地局装置２は、セカンダリセルグループ参照セル再設定を実施する（ステップＳ８０１）。具体例として、移動局装置１および基地局装置２は、参照セルが削除されるセカンダリ送信タイミンググループを構成している残りすべてのセカンダリセル（図４の例では、送信タイミンググループ２のセカンダリセルＳＣ３が該当する）に対し、タイミング参照セルの設定をリリースする。設定をリリースするとは、移動局装置１が現在の設定をリセットし、未設定の状態（not configured状態、デフォルト状態）に戻すこと、または、移動局装置１の上位レイヤ（ＲＲＣレイヤ）が現在の設定を保持しているが、該設定を下位レイヤに対して適用しないことの意味を含む。
【０２３３】
または、移動局装置１および基地局装置２は、参照セルが削除されるセカンダリ送信タイミンググループを構成している残りすべてのセカンダリセルに対し、当該セカンダリセルをリリースする。なお、移動局装置１は、上述した再設定の処理に基づき、設定のリリースまたはセカンダリセルのリリースを行った場合、リリースしたことを基地局装置２へ通知してもよい。または、移動局装置１および基地局装置２は、参照セルが削除されるセカンダリ送信タイミンググループを構成している残りすべてのセカンダリセルに対し、当該セカンダリセルを不活性化の状態に変更する。
【０２３４】
タイミング参照セルを再設定するタイミングは、移動局装置１がセカンダリセルグループ参照セル再設定（ステップＳ８０１）を実施するタイミング以外に、移動局装置１がセカンダリセル再設定事前処理を実施したときでもよい。セカンダリセルグループ参照セル再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したセカンダリセルグループ参照セル再設定を実施したとみなすことにより、セカンダリセル変更指示メッセージに必要な制御パラメータを削減することが可能となる。
【０２３５】
図１３は、タイミング参照セル変更時再設定処理が必要な場合における送信タイミングタイマー再設定の処理フローについて示したフローチャート図である。
【０２３６】
移動局装置１および基地局装置２は、セカンダリセルグループ送信タイミングタイマー再設定を実施する（ステップＳ９０１）。具体例として、移動局装置１および基地局装置２は、参照セルが削除されるセカンダリ送信タイミンググループ（送信タイミンググループ２）の、送信タイミングタイマー（送信タイミングタイマー２、ＴＡＴ２）を停止、または、送信タイミングタイマー（送信タイミングタイマー２、ＴＡＴ２）の設定をリリースする。送信タイミングタイマーを停止するとは、移動局装置１の上位レイヤ（ＲＲＣレイヤ）が現在の設定を保持しているが、送信タイミングタイマーが現在の値のまま計時されないこと、または、送信タイミングタイマーをリセットし、計時を開始する前の状態に戻すことの意味を含む。
【０２３７】
変更後におけるセカンダリ送信タイミンググループの送信タイミングタイマーを再設定するタイミングは、移動局装置１がセカンダリセルグループ送信タイミングタイマー（ステップＳ９０１）を実施するタイミング以外に、移動局装置１がセカンダリセル再設定事前処理を実施したときでもよい。
【０２３８】
セカンダリセルグループ送信タイミングタイマー再設定は、移動局装置１が現在の設定（コンフィグレーション）から自動的、暗黙的に実施する。すなわち、基地局装置２からの明示的な指示なく実行可能である。また、基地局装置２は、移動局装置１が現在の設定から自動的、暗黙的に上述したセカンダリセルグループ送信タイミングタイマー再設定を実施したとみなすことにより、セカンダリセル変更指示メッセージに必要な制御パラメータを削減することが可能となる。
【０２３９】
なお、移動局装置１は、送信タイミングタイマー再設定のみを実施し、セカンダリセルグループ参照セル再設定を実施しなくてもよい。
【０２４０】
図１０における各制御メッセージは、ＥＵＴＲＡで既存のＲＲＣメッセージを再利用しても良い。例えば、セカンダリセル変更指示メッセージはＲＲＣ  Ｃｏｎｎｅｃｔｉｏｎ  Ｒｅｃｏｎｆｉｇｕｒａｔｉｏｎメッセージ、セカンダリセル変更完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージにそれぞれ必要なパラメータを追加して再利用してもよい。
【０２４１】
このように、第２の実施形態によれば、移動局装置１と基地局装置２は、それぞれの上りリンク送信タイミングのグループ毎に効率的に上りリンク送信タイミングを制御することが可能となるため、上りリンク送信制御に関する無線リソース管理が非効率になるという問題を解決できる。
【０２４２】
本実施形態の移動局装置１は、基地局装置２からセカンダリセルの再設定としてセカンダリセルの削除が指示された場合、ターゲットセカンダリセルがセカンダリ送信タイミンググループの参照セルか否かに基づいて、当該セカンダリ送信タイミンググループの残りすべてのセカンダリセルの参照セルを効率的に再設定することができる。また、ターゲットセカンダリセルが属する送信タイミンググループに基づいて、セカンダリ送信タイミンググループの送信タイミングタイマーを効率的に再設定することができる。
【０２４３】
このように、移動局装置１は、セカンダリ送信タイミンググループにおける参照セル、送信タイミングタイマーを効率的に再設定することが可能となり、制御が簡略化されると共に、無線リソースの利用効率が向上する。
【０２４４】
また、本実施形態の基地局装置２は、移動局装置１に対してセカンダリセルの変更としてセカンダリセルの削除を指示する場合、ターゲットセカンダリセルがセカンダリ送信タイミンググループの参照セルか否かに基づいて、当該セカンダリ送信タイミンググループの残りすべてのセカンダリセルの参照セルを効率的に再設定することができる。また、また、ターゲットセカンダリセルが属する送信タイミンググループに基づいて、セカンダリ送信タイミンググループの送信タイミングタイマーを効率的に再設定することができる。
【０２４５】
このように、基地局装置２は、セカンダリ送信タイミンググループにおける参照セル、送信タイミングタイマーを移動局装置１毎に効率的に再設定させることが可能となると共に、再設定に必要な制御パラメータを削減することが可能となり、無線リソースの利用効率が向上する。
【０２４６】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、下りリンクコンポーネントキャリアの測定値は、パスロスや、それ以外の測定値（ＳＩＲ、ＳＩＮＲ、ＲＳＲＰ、ＲＳＲＱ、ＲＳＳＩ、ＢＬＥＲ）を代わり用いても良いし、これらの測定値の複数を組み合わせて使用することも可能である。また、実施形態で示される各パラメータの名称は、説明の便宜上呼称しているものであって、実際に適用されるパラメータ名称と本願のパラメータ名称とが異なっていても、本願が主張する発明の趣旨に影響するものではない。
【０２４７】
また、移動局装置１とは、移動する端末に限らず、固定端末に移動局装置１の機能を実装することなどにより本発明の実施形態を実現しても良い。移動局装置は、ユーザ端末、端末装置、通信端末、移動機、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（Ｎｏｄｅ−Ｂ）、ｅＮＢ（ｅｖｏｌｖｅｄ  Ｎｏｄｅ−Ｂ）ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０２４８】
また、説明の便宜上、実施形態の移動局装置１および基地局装置２を機能的なブロック図を用いて説明したが、移動局装置１および基地局装置２の各部の機能またはこれらの機能の一部を実現するための方法またはアルゴリズムのステップは、ハードウェア、プロセッサによって実行されるソフトウェアモジュール、またはこれら２つを組み合わせたものによって、直接的に具体化され得る。もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０２４９】
そして、一つ以上の命令またはコードをコンピュータ読み取り可能な記録媒体に記録し、この記録媒体に記録された一つ以上の命令またはコードをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０２５０】
本発明の各実施形態に記載の動作をプログラムで実現してもよい。本発明の各実施形態に関わる移動局装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２５１】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２５２】
また、上記プログラムは、前述した機能の一部を実現するためのものであっても良く、さらに、前述した機能をコンピュータシステムに既に記録されているプログラムとの組み合わせで実現できるものであっても良い。
【０２５３】
また、上記各実施形態に用いた移動局装置１および基地局装置２の各機能ブロック、または諸特徴は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。
【０２５４】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２５５】
以上、この発明の実施形態について特定の具体例に基づいて詳述してきたが、本発明の各実施形態の趣旨ならびに特許請求の範囲は、これら特定の具体例に限定されないことは明らかである。すなわち、本明細書の記載は例示説明を目的としたものであり、本発明の各実施形態に対して何ら制限を加えるものではない。
【符号の説明】
【０２５６】
１…移動局装置
２…基地局装置
１１〜１３…送信装置
２１〜２３…受信装置
１０１、２０１…受信部
１０２、２０２…復調部
１０３、２０３…復号部
１０４…測定処理部
１０５、２０４…制御部
１０６…ランダムアクセス制御部
１０７、２０５…符号部
１０８、２０６…変調部
１０９、２０７…送信部
１１０…タイミング管理部
１１１、２０８…上位レイヤ
２０９…ネットワーク信号送受信部
【図１】
0005927901.tif 000002
【図２】
0005927901.tif 000003
【図３】
0005927901.tif 000004
【図４】
0005927901.tif 000005
【図５】
0005927901.tif 000006
【図６】
0005927901.tif 000007
【図７】
0005927901.tif 000008
【図８】
0005927901.tif 000009
【図９】
0005927901.tif 000010
【図１０】
0005927901.tif 000011
【図１１】
0005927901.tif 000012
【図１２】
0005927901.tif 000013
【図１３】
0005927901.tif 000014
【図１４】
0005927901.tif 000015
【図１５】
0005927901.tif 000016
【図１６】
0005927901.tif 000017
【図１７】
0005927901.tif 000018